(57)【要約】【課題】複数のウェブブラウジング画面を提供してユーザの便宜性を向上させたマルチディスプレイ装置及びそのディスプレイ制御方法を開示する。【解決手段】本発明のマルチディスプレイ装置は、第１ディスプレイ部が配置された第１ボディと、第２ディスプレイ部が配置された第２ボディと、第１ボディ及び第２ボディを連結して回転自在に支持するヒンジ部と、ウェブブラウザが実行された場合にウェブサーバと通信を行う通信部と、ウェブサーバから受信したウェブページデータを保存する保存部と、ウェブページデータに基づいて生成された第１ウェブブラウジング画面を第１ディスプレイ部に表示し、第１ウェブブラウジング画面内から１つのオブジェクトが選択された場合、選択されたオブジェクトにリンクされた第２ウェブブラウジング画面を第２ディスプレイ部に表示する制御部と、を備える。【選択図】図１
2014078236.tif 000002
【特許請求の範囲】
【請求項１】
第１ディスプレイ部が配置された第１ボディと、
第２ディスプレイ部が配置された第２ボディと、
前記第１ボディ及び前記第２ボディを連結して回転自在に支持するヒンジ部と、
ウェブブラウザが実行された場合にウェブサーバと通信を行う通信部と、
前記ウェブサーバから受信したウェブページデータを保存する保存部と、
前記ウェブページデータに基づいて生成された第１ウェブブラウジング画面を前記第１ディスプレイ部に表示し、前記第１ウェブブラウジング画面内から１つのオブジェクトが選択された場合、該選択されたオブジェクトにリンクされた第２ウェブブラウジング画面を前記第２ディスプレイ部に表示する制御部と、を備えることを特徴とするマルチディスプレイ装置。
【請求項２】
前記制御部は、
前記第２ウェブブラウジング画面から１つのオブジェクトが選択された場合、該選択されたオブジェクトにリンクされた第３ウェブブラウジング画面を前記第１ディスプレイ部に表示することを特徴とする請求項１に記載のマルチディスプレイ装置。
【請求項３】
前記制御部は、
前記第３ウェブブラウジング画面を前記第１ウェブブラウジング画面上にオーバーラップさせて表示し、ユーザ選択に応じて前記第１ウェブブラウジング画面及び前記第３ウェブブラウジング画面の位置を交互に切り替えることを特徴とする請求項２に記載のマルチディスプレイ装置。
【請求項４】
前記制御部は、
前記第３ウェブブラウジング画面が生成された場合、前記第１ウェブブラウジング画面を除去して前記第１ウェブブラウジング画面に対する情報を前記保存部に保存した後、前記第３ウェブブラウジング画面を前記第１ディスプレイ部に表示し、
画面切り替え命令が入力された場合、前記第１ディスプレイ部に表示された前記第３ウェブブラウジング画面を除去し、前記保存部に保存された情報を用いて前記第１ウェブブラウジング画面を再び第１ディスプレイ部に表示することを特徴とする請求項２に記載のマルチディスプレイ装置。
【請求項５】
前記第１ウェブブラウジング画面及び前記第２ウェブブラウジング画面は、異なるディスプレイオプションに応じてそれぞれ表示され、
前記ディスプレイオプションは、解像度、画面サイズ、レイアウト、画面配列方向、カラー、フォント、及び文字サイズのうちの少なくとも１つを含むことを特徴とする請求項１乃至４の何れか一項に記載のマルチディスプレイ装置。
【請求項６】
第１ディスプレイ部が配置された第１ボディと、第２ディスプレイ部が配置された第２ボディと、前記第１ボディ及び前記第２ボディを連結して回転自在に支持するヒンジ部とを備えるマルチディスプレイ装置のディスプレイ制御方法であって、
ウェブブラウザを実行させて第１ウェブブラウジング画面を生成するステップと、
生成された前記第１ウェブブラウジング画面を前記第１ディスプレイ部に表示するステップと、
前記第１ウェブブラウジング画面内から１つのオブジェクトが選択された場合、該選択されたオブジェクトにリンクされた第２ウェブブラウジング画面を前記第２ディスプレイ部に表示するステップと、を有することを特徴とするディスプレイ制御方法。
【請求項７】
前記第２ウェブブラウジング画面から１つのオブジェクトが選択された場合、該選択されたオブジェクトにリンクされたソースからデータを受信するステップと、
前記受信したデータを用いて第３ウェブブラウジング画面を生成するステップと、
前記第３ウェブブラウジング画面を前記第１ディスプレイ部に表示するステップと、を更に含むことを特徴とする請求項６に記載のディスプレイ制御方法。
【請求項８】
前記第３ウェブブラウジング画面を前記第１ウェブブラウジング画面上にオーバーラップさせて表示するステップと、
ユーザ選択に応じて前記第１ウェブブラウジング画面及び前記第３ウェブブラウジング画面の位置を交互に切り替えるステップと、を更に含むことを特徴とする請求項７に記載のディスプレイ制御方法。
【請求項９】
前記第３ウェブブラウジング画面が生成された場合、前記第１ウェブブラウジング画面を除去するステップと、
前記第１ウェブブラウジング画面に対する情報を保存するステップと、
前記第３ウェブブラウジング画面を前記第１ディスプレイ部に表示するステップと、
画面切り替え命令が入力された場合、前記第１ディスプレイ部に表示された前記第３ウェブブラウジング画面を除去し、前記保存された情報を用いて前記第１ウェブブラウジング画面を再び第１ディスプレイ部に表示するステップと、を更に含むことを特徴とする請求項７に記載のディスプレイ制御方法。
【請求項１０】
前記第１ウェブブラウジング画面及び前記第２ウェブブラウジング画面は、異なるディスプレイオプションに応じてそれぞれ表示され、
前記ディスプレイオプションは、解像度、画面サイズ、レイアウト、画面配列方向、カラー、フォント、及び文字サイズのうちの少なくとも１つを含むことを特徴とする請求項６項に記載のディスプレイ制御方法。
【請求項１１】
第１ディスプレイ部が配置された第１ボディと、
第２ディスプレイ部が配置された第２ボディと、
前記第１ボディ及び前記第２ボディを連結して回転自在に支持するヒンジ部と、
ウェブブラウザが実行された場合にウェブサーバと通信を行う通信部と、
前記ウェブサーバから受信した１つのウェブページデータを保存する保存部と、
前記ウェブページデータを用い、互いに異なる第１及び第２ウェブブラウジング画面を生成して前記第１及び第２ディスプレイ部にそれぞれ表示する制御部と、を備えることを特徴とするマルチディスプレイ装置。
【請求項１２】
前記制御部は、
前記ウェブページデータ内のメインコンテンツを用いて前記第１ウェブブラウジング画面を生成して前記第１ディスプレイ部に表示し、前記ウェブページデータ内の付加データを用いて第２ウェブブラウジング画面を生成して前記第２ディスプレイ部に表示し、
前記付加コンテンツは、バナーイメージ及びポップアップイメージのうちの少なくとも１つを含むことを特徴とする請求項１１に記載のマルチディスプレイ装置。
【請求項１３】
前記制御部は、
前記ウェブサーバから受信した前記ウェブページデータの第１バージョンのレイアウトを用いて、前記第１ウェブブラウジング画面を生成して前記第１ディスプレイ部に表示し、前記ウェブページデータの第２バージョンのレイアウトを用いて、第２ウェブブラウジング画面を生成して前記第２ディスプレイ部に表示し、
前記第１及び第２ウェブブラウジング画面は、同一のコンテンツが互いに異なるレイアウトで配列される画面であることを特徴とする請求項１１に記載のマルチディスプレイ装置。
【請求項１４】
前記制御部は、
前記第１ウェブブラウジング画面内でユーザの選択した特定領域に対応する付加情報を前記第２ウェブブラウジング画面に表示することを特徴とする請求項１１に記載のマルチディスプレイ装置。
【請求項１５】
前記制御部は、
前記ウェブページデータに基づいて異なるディスプレイオプションを有する第１及び第２ウェブブラウジング画面をそれぞれ生成して第１及び第２ディスプレイ部にそれぞれ表示し、
前記ディスプレイオプションは、解像度、画面サイズ、レイアウト、画面配列方向、カラー、フォント、及び文字サイズのうちの少なくとも１つを含むことを特徴とする請求項１１に記載のマルチディスプレイ装置。
【発明の詳細な説明】
【技術分野】
【０００１】
本発明は、マルチディスプレイ装置及びそのディスプレイ制御方法に関し、より詳細には、ユーザの便宜性を向上させたマルチディスプレイ装置及びそのディスプレイ制御方法に関する。
【背景技術】
【０００２】
近年使用されているスマートフォン等の携帯用の電子機器は、シングルディスプレイを備えている。最近は、携帯用の電子機器のハードウェアの性能が向上するにつれ、ユーザはマルチタスキング作業を行うことができるようになった。
【０００３】
しかし、携帯用の電子機器のディスプレイサイズが制限されるため、マルチタスキング作業を行う場合に、多くのウィンドウを表示して作業を行うことは、事実上困難であった。
【０００４】
特に、ウェブブラウジングのようにリンクされたページ間を移動する際、多くのウェブページを開いて見ながらウェブサーフィンを行う場合に、小さなディスプレイ画面に多くのウェブページを表示することに限界があった。
【０００５】
このような限界を解決するために、携帯用電子機器のディスプレイ画面サイズを大きくすると、携帯用電子機器の全サイズが大きくなるため、望ましい解決策にはなり得ない。
【０００６】
電子機器の小型化を保ちながら、シングルディスプレイの画面サイズの限界を克服する方策として、最近は２つ以上のディスプレイを備えた電子機器が登場している。
【０００７】
マルチディスプレイ装置は、２つ以上のディスプレイ画面を備えているため、マルチタスキングを行う上でユーザの便宜性が向上する。しかし、従来のシングルディスプレイ装置と異なる構成を備えているため、シングルディスプレイ装置で使用していたディスプレイ方法をそのまま適用することには困難があった。特に、インターネットを使用する際には、ユーザが複数のウェブサーバにアクセスし、ウェブブラウジング画面を確認しようとする場合が度々発生する。しかし、ウェブブラウジング画面のディスプレイに関連する制御方法が効果的に提供されないため、ユーザの利用に不都合が生じていた。
【先行技術文献】
【特許文献】
【０００８】
【特許文献１】米国特許公開第２０１０−０１８２２４７号明細書
【特許文献２】米国特許公開第２０１０−０１８０２５４号明細書
【発明の概要】
【発明が解決しようとする課題】
【０００９】
本発明は、上記従来の問題点に鑑みてなされたものであって、本発明の目的は、複数のウェブブラウジング画面を提供してユーザの便宜性を向上させたマルチディスプレイ装置及びそのディスプレイ制御方法を提供することにある。
【課題を解決するための手段】
【００１０】
上記目的を達成するためになされた本発明の一態様によるマルチディスプレイ装置は、第１ディスプレイ部が配置された第１ボディと、第２ディスプレイ部が配置された第２ボディと、前記第１ボディ部及び前記第２ボディ部を連結して回転自在に支持するヒンジ部と、ウェブブラウザが実行された場合にウェブサーバと通信を行う通信部と、前記ウェブサーバから受信したウェブページデータを保存する保存部と、前記ウェブページデータに基づいて生成された前記第１ウェブブラウジング画面を前記第１ディスプレイ部に表示し、前記第１ウェブブラウジング画面内から１つのオブジェクトが選択された場合、該選択されたオブジェクトにリンクされた第２ウェブブラウジング画面を前記第２ディスプレイ部に表示する制御部と、を備える。
【００１１】
前記制御部は、前記第１ウェブブラウジング画面に表示されたオブジェクトの中から選択されたオブジェクトにリンクされたソースからデータを受信し、前記受信したデータを用いて前記第２ウェブブラウジング画面を生成して該第２ウェブブラウジング画面を前記第２ディスプレイ部に表示し得る。
前記制御部は、前記第２ウェブブラウジング画面から１つのオブジェクトが選択された場合、該選択されたオブジェクトにリンクされた第３ウェブブラウジング画面を前記第１ディスプレイ部に表示し得る。
前記制御部は、前記第３ウェブブラウジング画面を前記第１ウェブブラウジング画面上にオーバーラップさせて表示し、ユーザ選択に応じて前記第１ウェブブラウジング画面及び前記第３ウェブブラウジング画面の位置を交互に切り替え得る。
前記制御部は、前記第３ウェブブラウジング画面が生成された場合、前記第１ウェブブラウジング画面を除去して前記第１ウェブブラウジング画面に対する情報を前記保存部に保存した後、前記第３ウェブブラウジング画面を前記第１ディスプレイ部に表示し、画面切り替え命令が入力された場合、前記第１ディスプレイ部に表示された前記第３ウェブブラウジング画面を除去し、前記保存部に保存された情報を用いて前記第１ウェブブラウジング画面を再び第１ディスプレイ部に表示し得る。
前記制御部は、前記第１ディスプレイ部及び前記第２ディスプレイ部のうちの一方に表示された画面上から１つのオブジェクトが選択された場合、前記選択されたオブジェクトに対応するウェブブラウジング画面を前記第１ディスプレイ部及び前記第２ディスプレイのうちの他方に表示し得る。
前記制御部は、ソース情報を用いて第１ウェブブラウジング画面を生成して該第１ウェブブラウジング画面を前記第１ディスプレイ部に表示し、前記第１ウェブブラウジング画面に表示されたオブジェクトのうちの１つが選択された場合、該選択されたオブジェクトにリンクされた第２ウェブブラウジング画面を生成して該第２ウェブブラウジング画面を前記ディスプレイ部に表示し得る。
前記第１ウェブブラウジング画面は、メインコンテンツ及び付加コンテンツを含み、前記制御部は、前記第１ウェブブラウジング画面から前記付加コンテンツを分離させて前記第２ウェブブラウジング画面を生成し、前記付加コンテンツは、バナーイメージ及びポップアップイメージのうちの少なくとも１つを含み得る。
前記制御部は、同一のソースから第１及び第２ウェブページデータを受信し、前記第１ウェブページデータを用いて第１レイアウトを有する前記第１ウェブブラウジング画面を生成し、前記第２ウェブページデータを用いて第２レイアウトを有する前記第２ウェブブラウジング画面を生成し得る。
前記第１ウェブブラウジング画面及び前記第２ウェブブラウジング画面は、異なるディスプレイオプションに応じてそれぞれ表示され、前記ディスプレイオプションは、解像度、画面サイズ、レイアウト、画面配列方向、カラー、フォント、及び文字サイズのうちの少なくとも１つを含み得る。
【００１２】
上記目的を達成するためになされた本発明の一態様によるディスプレイ制御方法は、第１ディスプレイ部が配置された第１ボディと、第２ディスプレイ部が配置された第２ボディと、前記第１ボディ及び前記第２ボディを連結して回転自在に支持するヒンジ部とを備えるマルチディスプレイ装置のディスプレイ制御方法であって、ウェブブラウザを実行させて第１ウェブブラウジング画面を生成するステップと、生成された前記第１ウェブブラウジング画面を前記第１ディスプレイ部に表示するステップと、前記第１ウェブブラウジング画面内から１つのオブジェクトが選択された場合、該選択されたオブジェクトにリンクされた第２ウェブブラウジング画面を前記第２ディスプレイ部に表示するステップと、を有する。
【００１３】
前記ディスプレイ制御方法は、前記第１ウェブブラウジング画面に表示されたオブジェクトの中から選択されたオブジェクトにリンクされたソースからデータを受信するステップと、前記受信したデータを用いて前記第２ウェブブラウジング画面を生成するステップと、前記第２ウェブブラウジング画面を前記第２ディスプレイ部に表示するステップと、を更に含むことができる。
前記ディスプレイ制御方法は、前記第２ウェブブラウジング画面から１つのオブジェクトが選択された場合、該選択されたオブジェクトにリンクされたソースからデータを受信するステップと、前記受信したデータを用いて第３ウェブブラウジング画面を生成するステップと、前記第３ウェブブラウジング画面を前記第１ディスプレイ部に表示するステップと、を更に含むことができる。
前記ディスプレイ制御方法は、前記第３ウェブブラウジング画面を前記第１ウェブブラウジング画面上にオーバーラップさせて表示するステップと、ユーザ選択に応じて前記第１ウェブブラウジング画面及び前記第３ウェブブラウジング画面の位置を交互に切り替えるステップと、を更に含むことができる。
前記ディスプレイ制御方法は、前記第３ウェブブラウジング画面が生成された場合、前記第１ウェブブラウジング画面を除去するステップと、前記第１ウェブブラウジング画面に対する情報を保存するステップと、前記第３ウェブブラウジング画面を前記第１ディスプレイ部に表示するステップと、画面切り替え命令が入力された場合、前記第１ディスプレイ部に表示された前記第３ウェブブラウジング画面を除去し、前記保存された情報を用いて前記第１ウェブブラウジング画面を再び第１ディスプレイ部に表示するステップと、を更に含むことができる。
前記ディスプレイ制御方法は、前記第１ディスプレイ部及び前記第２ディスプレイ部のうちの一方に表示された画面上から１つのオブジェクトが選択された場合、前記選択されたオブジェクトに対応するウェブブラウジング画面を前記第１ディスプレイ部及び前記第２ディスプレイのうちの他方に表示するステップを更に含むことができる。
前記ディスプレイ制御方法は、ソース情報を用いて第１ウェブブラウジング画面を生成して該第１ウェブブラウジング画面を前記第１ディスプレイ部に表示するステップと、前記第１ウェブブラウジング画面に表示されたオブジェクトのうちの１つが選択された場合、該選択されたオブジェクトにリンクされた第２ウェブブラウジング画面を生成するステップと、前記第２ウェブブラウジング画面を前記ディスプレイ部に表示するステップと、を更に含むことができる。
前記ディスプレイ制御方法は、第１ウェブブラウジング画面から付加コンテンツを分離するステップと、前記分離された付加コンテンツで前記第２ウェブブラウジング画面を生成するステップと、を更に含むことができ、前記付加コンテンツは、バナーイメージ及びポップアップイメージのうちの少なくとも１つを含み得る。
前記ディスプレイ制御方法は、同一のソースから第１及び第２ウェブページデータを受信するステップと、前記第１ウェブページデータを用いて第１レイアウトを有する前記第１ウェブブラウジング画面を生成するステップと、前記第２ウェブページデータを用いて第２レイアウトを有する前記第２ウェブブラウジング画面を生成するステップと、を更に含むことができる。
前記第１ウェブブラウジング画面及び前記第２ウェブブラウジング画面は、異なるディスプレイオプションに応じてそれぞれ表示され、前記ディスプレイオプションは、解像度、画面サイズ、レイアウト、画面配列方向、カラー、フォント、及び文字サイズのうちの少なくとも１つを含み得る。
【００１４】
上記目的を達成するためになされた本発明の他の態様によるマルチディスプレイ装置は、第１ディスプレイ部が配置された第１ボディと、第２ディスプレイ部が配置された第２ボディと、前記第１ボディ及び前記第２ボディを連結して回転自在に支持するヒンジ部と、ウェブブラウザが実行された場合にウェブサーバと通信を行う通信部と、前記ウェブサーバから受信した１つのウェブページデータを保存する保存部と、前記ウェブページデータを用い、互いに異なる第１及び第２ウェブブラウジング画面を生成して前記第１及び第２ディスプレイ部にそれぞれ表示する制御部と、を備える。
【００１５】
前記制御部は、前記ウェブページデータ内のメインコンテンツを用いて前記第１ウェブブラウジング画面を生成して前記第１ディスプレイ部に表示し、前記ウェブページデータ内の付加データを用いて第２ウェブブラウジング画面を生成して前記第２ディスプレイ部に表示し、前記付加コンテンツは、バナーイメージ及びポップアップイメージのうちの少なくとも１つを含み得る。
前記制御部は、前記ウェブサーバから受信した前記ウェブページデータの第１バージョンのレイアウトを用いて、前記第１ウェブブラウジング画面を生成して前記第１ディスプレイ部に表示し、前記ウェブページデータの第２バージョンのレイアウトを用いて、第２ウェブブラウジング画面を生成して前記第２ディスプレイ部に表示し、前記第１及び第２ウェブブラウジング画面は、同１のコンテンツが互いに異なるレイアウトで配列される画面であり得る。
前記制御部は、前記第１ウェブブラウジング画面内でユーザの選択した特定領域に対応する付加情報を前記第２ウェブブラウジング画面に表示し得る。
前記制御部は、前記ウェブページデータに基づいて異なるディスプレイオプションを有する第１及び第２ウェブブラウジング画面をそれぞれ生成して第１及び第２ディスプレイ部にそれぞれ表示し、前記ディスプレイオプションは、解像度、画面サイズ、レイアウト、画面配列方向、カラー、フォント、及び文字サイズのうちの少なくとも１つを含み得る。
【発明の効果】
【００１６】
本発明のマルチディスプレイ装置及びそのディスプレイ制御方法によれば、ユーザが別途の操作をすることなく、現在空いているディスプレイ部に自動的に新たなウェブブラウジングを表示し、マルチディスプレイ部に表示されている複数のアプリケーション間の重要度を考慮して新たに表示されるブラウジングのディスプレイ位置を自動的に決定することにより、ユーザの便宜性を向上させる効果を奏する。
また、ユーザがウェブサーフィン中に新たなウェブページを実行する場合に、メインコンテンツと共に表示される付加コンテンツを適切にフィルタリングして遮断するか、又はフィルタリングされた付加コンテンツをメインコンテンツが表示されるディスプレイ部と異なるディスプレイ部に別途に表示することで、ユーザは必要な情報のみを含むメインコンテンツのみを見ることができ、付加コンテンツを画面から消すための別途の不要な操作を減らせる効果がある。
【図面の簡単な説明】
【００１７】
【図１】本発明の一実施形態によるマルチディスプレイ装置の概略構成を示すブロック図である。
【図２】図１に示す制御部の具体的な構成を示すブロック図である。
【図３】複数のフレームバッファを用いて各ディスプレイ部の動作を制御するマルチディスプレイ装置の構成を示すブロック図である。
【図４】統合フレームバッファを用いて各ディスプレイ部の動作を制御するマルチディスプレイ装置の構成を示すブロック図である。
【図５】ディスプレイ部の具体的な構成の一例を示す図である。
【図６】図５に示す表示パネルを構成するＲ、Ｇ、Ｂ画素を構成する回路の一例を示す図である。
【図７】本発明の一実施形態によるディスプレイ部の断面図である。
【図８】本発明の一実施形態によるマルチディスプレイ装置の構成をより具体的に示すブロック図である。
【図９】本発明の一実施形態によるマルチディスプレイ装置のシステム階層構造の一例を示す図である。
【図１０】本発明の一実施形態によるマルチディスプレイ装置の細部斜視図である。
【図１１】本発明の一実施形態によるマルチディスプレイ装置の第１ボディと第２ボディとの間の相対角度に応じた多様なスクリーンモードを示す図である。
【図１２】本発明の一実施形態によるマルチディスプレイ装置の第１ボディと第２ボディとの間の相対角度に応じた多様なスクリーンモードを示す図である。
【図１３】本発明の一実施形態によるマルチディスプレイ装置の第１ボディと第２ボディとの間の相対角度に応じた多様なスクリーンモードを示す図である。
【図１４】本発明の一実施形態によるマルチディスプレイ装置の第１ボディと第２ボディとの間の相対角度に応じた多様なスクリーンモードを示す図である。
【図１５】本発明の一実施形態によるマルチディスプレイ装置の第１ボディと第２ボディとの間の相対角度に応じた多様なスクリーンモードを示す図である。
【図１６】近接タッチを検知する方法の一例を説明するための図である。
【図１７】本発明の一実施形態によるマルチディスプレイ装置の２つのカメラ配置の一例を示す図である。
【図１８】本発明の一実施形態によるマルチディスプレイ装置の２つのカメラ配置の他の例を示す図である。
【図１９】本発明の一実施形態によるマルチディスプレイ装置に複数のアイコンが表示されている画面の一例を示す図である。
【図２０】本発明の一実施形態によるマルチディスプレイ装置にウェブブラウジングを実行する一例を示す図である。
【図２１】マルチディスプレイ装置の第１、２ディスプレイ部に全サイズでウェブブラウジング画面を表示する一例を示す図である。
【図２２】マルチディスプレイ装置の第１、２ディスプレイ部にウェブブラウジング画面及び他のアプリケーション実行画面がそれぞれ表示される一例を示す図である。
【図２３】マルチディスプレイ装置の第１、２ディスプレイ部にホーム画面とウェブブラウジング画面とがそれぞれ表示される一例を示す図である。
【図２４】マルチディスプレイ装置に複数のウェブブラウジング画面を表示する一例を示す遷移図である。
【図２５】本発明の一実施形態によるマルチディスプレイ装置で複数のウェブブラウジング画面を表示する方法をより具体的に説明するための図である。
【図２６】本発明の一実施形態によるマルチディスプレイ装置で第１ディスプレイ部に対するユーザ選択に応じて第２ディスプレイ部にウェブブラウジング画面が表示される多様な例を示す図である。
【図２７】本発明の一実施形態によるマルチディスプレイ装置で第１ディスプレイ部に対するユーザ選択に応じて第２ディスプレイ部にウェブブラウジング画面が表示される多様な例を示す図である。
【図２８】本発明の一実施形態によるマルチディスプレイ装置で第１ディスプレイ部に対するユーザ選択に応じて第２ディスプレイ部にウェブブラウジング画面が表示される多様な例を示す図である。
【図２９】本発明の一実施形態によるマルチディスプレイ装置で第１ディスプレイ部に対するユーザ選択に応じて第２ディスプレイ部にウェブブラウジング画面が表示される多様な例を示す図である。
【図３０】本発明の一実施形態によるマルチディスプレイ装置で第２ディスプレイ部に対するユーザ選択命令により第１ディスプレイ部にウェブブラウジング画面が表示される多様な例を示す図である。
【図３１】本発明の一実施形態によるマルチディスプレイ装置で第２ディスプレイ部に対するユーザ選択命令により第１ディスプレイ部にウェブブラウジング画面が表示される多様な例を示す図である。
【図３２】本発明の一実施形態によるマルチディスプレイ装置で第２ディスプレイ部に対するユーザ選択命令により第１ディスプレイ部にウェブブラウジング画面が表示される多様な例を説明示す図である。
【図３３】本発明の一実施形態によるマルチディスプレイ装置で第２ディスプレイ部に対するユーザ選択命令により第１ディスプレイ部にウェブブラウジング画面が表示される多様な例を示す図である。
【図３４】本発明の他の実施形態によるマルチディスプレイ装置でそれぞれのディスプレイ部のウェブブラウジング画面間の切り替えの多様な例を示す図である。
【図３５】本発明の他の実施形態によるマルチディスプレイ装置でそれぞれのディスプレイ部のウェブブラウジング画面間の切り替えの多様な例を示す図である。
【図３６】本発明の他の実施形態によるマルチディスプレイ装置でそれぞれのディスプレイ部のウェブブラウジング画面間の切り替えの多様な例を示す図である。
【図３７】本発明の更に他の実施形態によるマルチディスプレイ装置でそれぞれのディスプレイ部のウェブブラウジング画面間の切り替えの多様な例を示す図である。
【図３８】本発明の更に他の実施形態によるマルチディスプレイ装置でそれぞれのディスプレイ部のウェブブラウジング画面間の切り替えの多様な例を示す図である。
【図３９】本発明の更に他の実施形態によるマルチディスプレイ装置でそれぞれのディスプレイ部のウェブブラウジング画面間の切り替えの多様な例を示す図である。
【図４０】本発明の更に他の実施形態によるマルチディスプレイ装置でそれぞれのディスプレイ部のウェブブラウジング画面間の切り替えの多様な例を示す図である。
【図４１】本発明の更に他の実施形態によるマルチディスプレイ装置でそれぞれのディスプレイ部のウェブブラウジング画面間の切り替えの多様な例を示す図である。
【図４２】本発明の更に他の実施形態によるマルチディスプレイ装置でウェブブラウジング画面をサムネール画面で表示する多様な例を示す図である。
【図４３】本発明の更に他の実施形態によるマルチディスプレイ装置でウェブブラウジング画面をサムネール画面で表示する多様な例を示す図である。
【図４４】本発明の更に他の実施形態によるマルチディスプレイ装置でウェブブラウジング画面をサムネール画面で表示する多様な例を示す図である。
【図４５】本発明の更に他の実施形態によるマルチディスプレイ装置でウェブブラウジング画面からメインコンテンツとサブコンテンツとを分離して表示する多様な例を示す図である。
【図４６】本発明の更に他の実施形態によるマルチディスプレイ装置でウェブブラウジング画面からメインコンテンツとサブコンテンツとを分離して表示する多様な例を示す図である。
【図４７】本発明の更に他の実施形態によるマルチディスプレイ装置でユーザによって選択された領域を再配列して表示する多様な例を示す図である。
【図４８】本発明の更に他の実施形態によるマルチディスプレイ装置でユーザによって選択された領域を再配列して表示する多様な例を示す図である。
【図４９】本発明の更に他の実施形態によるマルチディスプレイ装置でユーザによって選択された領域を再配列して表示する多様な例を示す図である。
【図５０】本発明の更に他の実施形態によるマルチディスプレイ装置でユーザによって選択された領域を再配列して表示する多様な例を示す図である。
【図５１】本発明の更に他の実施形態によるマルチディスプレイ装置でユーザによって選択された領域を再配列して表示する多様な例を示す図である。
【図５２】本発明の更に他の実施形態によるマルチディスプレイ装置で各ディスプレイ部の解像度を変更してウェブブラウジング画面を更新して表示する多様な例を示す図である。
【図５３】本発明の更に他の実施形態によるマルチディスプレイ装置で各ディスプレイ部の解像度を変更してウェブブラウジング画面を更新して表示する多様な例を示す図である。
【図５４】本発明の更に他の実施形態によるマルチディスプレイ装置で各ディスプレイ部の解像度を変更してウェブブラウジング画面を更新して表示する多様な例を示す図である。
【図５５】本発明の更に他の実施形態によるマルチディスプレイ装置で各ディスプレイ部の解像度を変更してウェブブラウジング画面を更新して表示する多様な例を示す図である。
【図５６】本発明の更に他の実施形態によるマルチディスプレイ装置で各ディスプレイ部の解像度を変更してウェブブラウジング画面を更新して表示する多様な例を示す図である。
【図５７】本発明の更に他の実施形態によるマルチディスプレイ装置で各ディスプレイ部の解像度を変更してウェブブラウジング画面を更新して表示する多様な例を示す図である。
【図５８】本発明の一実施形態によるマルチディスプレイ装置でウェブブラウジングが表示された第１、２ディスプレイ部の一例をより具体的に示す図である。
【図５９】本発明の他の実施形態によるマルチディスプレイ装置の回転によりウェブブラウジング画面を回転して表示する多様な例を示す図である。
【図６０】本発明の他の実施形態によるマルチディスプレイ装置の回転によりウェブブラウジング画面を回転して表示する多様な例を示す図である。
【図６１】本発明の更に他の実施形態によるマルチディスプレイ装置に備えられたボタン部によるウェブブラウジング画面更新、切り替えの多様な例を示す図である。
【図６２】本発明の更に他の実施形態によるマルチディスプレイ装置に備えられたボタン部によるウェブブラウジング画面更新、切り替えの多様な例を示す図である。
【図６３】本発明の更に他の実施形態によるマルチディスプレイ装置に備えられたボタン部によるウェブブラウジング画面更新、切り替えの多様な例を示す図である。
【図６４】本発明の更に他の実施形態によるマルチディスプレイ装置に備えられたボタン部によるウェブブラウジング画面更新、切り替えの多様な例を示す図である。
【図６５】本発明の更に他の実施形態によるマルチディスプレイ装置で新たなウェブブラウジングの追加及び複数のウェブブラウジング間の切り替えの多様な例を示す図である。
【図６６】本発明の更に他の実施形態によるマルチディスプレイ装置で新たなウェブブラウジングの追加及び複数のウェブブラウジング間の切り替えの多様な例を示す図である。
【図６７】本発明の更に他の実施形態によるマルチディスプレイ装置で新たなウェブブラウジングの追加及び複数のウェブブラウジング間の切り替えの多様な例を示す図である。
【図６８】本発明の更に他の実施形態によるマルチディスプレイ装置で新たなウェブブラウジングの追加及び複数のウェブブラウジング間の切り替えの多様な例を示す図である。
【図６９】本発明の更に他の実施形態によるマルチディスプレイ装置で新たなウェブブラウジングの追加及び複数のウェブブラウジング間の切り替えの多様な例を示す図である。
【図７０】本発明の更に他の実施形態によるマルチディスプレイ装置のマルチディスプレイ制御方法を示すフローチャートである。
【図７１】本発明の更に他の実施形態によるマルチディスプレイ装置のマルチディスプレイ制御方法を更に具体的に示すフローチャートである。
【発明を実施するための形態】
【００１８】
以下、本発明を実施するための形態の具体例を、図面を参照しながら詳細に説明する。本発明を説明するうえで、関連する公知機能又は構成に対する具体的な説明が、本発明の要旨を不要に曖昧にすると判断される場合、その詳細な説明を省略する。そして、後述の用語は、本発明における機能を考慮して定義した用語として、それはユーザや運用者の意図又は慣例等によって異なってよい。そのため、その定義は、本明細書の内容の全般に基づいて下すべきである。
【００１９】
本明細書において、マルチディスプレイ装置は、複数のディスプレイを備え、そのディスプレイ部を介して各種画面を表示する装置である。具体的に、マルチディスプレイ装置は、タブレットパーソナルコンピュータ、携帯用マルチメディア再生装置（ＰＭＰ）、個人用携帯情報端末（ＰＤＡ）、スマートフォン、携帯電話、デジタルフォトフレーム、ゲーム機等のような類型で実現され得る。
【００２０】
図１は、本発明の一実施形態によるマルチディスプレイ装置の概略構成を示すブロック図である。
【００２１】
図１によると、本発明の一実施形態によるマルチディスプレイ装置１００は、通信部１１０、制御部１３０、保存部１７０、ヒンジ部１８５、第１ディスプレイ部１９０ａ、及び第２ディスプレイ部１９０ｂを含む。
【００２２】
通信部１１０は、外部装置と通信を行う。通信部１１０は、制御部１３０の制御に応じて、多様な種類の外部装置と接続される。一例として、制御部１３０によってウェブブラウザが実行されると、通信部１１０は、ソースアドレスを用いて、そのソースアドレスに対応する外部装置に接続する。その後、当該外部装置から提供されるウェブページデータを受信する。
【００２３】
通信部１１０は、各種有線／無線ＬＡＮ、セルラー通信網、Ｗｉ−Ｆｉ、Ｚｉｇｂｅｅ（登録商標）等のような多様な通信方式を用いてインターネット網に接続されることにより、外部装置にアクセスすることができる。そのために、通信部１１０は、セルラー通信モジュール、無線ＬＡＮモジュール、Ｗｉ−Ｆｉモジュール、Ｚｉｇｂｅｅ（登録商標）モジュール、ネットワークインターフェースカード等のような構成を含む。
【００２４】
一方、マルチディスプレイ装置１００の種類に応じて、通信部１１０はより多様なソース装置と通信を行うこともできる。例えば、通信部１１０は、近距離通信モジュール、ＧＰＳ通信モジュール、位相ＤＭＢモジュール、地上波ＤＭＢモジュール等の無線通信モジュールと、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＵＳＢ、ＩＥＥＥ１３９４等の有線通信インターフェース等を含む。このように、通信部１１０の構成は、実施形態に応じて多様に変形され、それについては、以下で詳細に説明する。
【００２５】
ヒンジ部１８５は、第１ディスプレイ部１９０ａ及び第２ディスプレイ部１９０ｂを物理的に結合させる。より正確に説明すると、マルチディスプレイ装置１００は、２つのボディ（ｂｏｄｙ）に分離される。第１ディスプレイ部１９０ａはそのうちの一方の第１ボディに配置され、第２ディスプレイ部１９０ｂはそのうちの他方の第２ボディに配置される。
【００２６】
ヒンジ部１８５は、第１ボディと第２ボディとを相互に連結されるように物理的に結合し、結合された状態で、第１ボディ及び第２ボディがそれぞれ回転するように、シャフトの役割を担う。ヒンジ部１８５は、第１ボディと第２ボディとにそれぞれ連結される一体型で具現され、第１ボディ及び第２ボディの間の中間領域のそれぞれの端部で各自を連結する。より具体的な第１及び第２ボディとヒンジ部１８５との外形構成については、図を参照しながら具体的に後述し、以下では、説明の便宜上、ヒンジ部１８５が第１ディスプレイ部１９０ａ及び第２ディスプレイ部１９０ｂを直接連結するものとして説明する。
【００２７】
ヒンジ部１８５は、第１ディスプレイ部１９０ａ及び第２ディスプレイ部１９０ｂの間の曲がり具合を検知するためのヒンジセンサ（図示せず）を更に含む。
【００２８】
第１及び第２ディスプレイ部１９０ａ、１９０ｂは、ヒンジ部１８５を基準に回転する。それにより、第１及び第２ディスプレイ部１９０ａ、１９０ｂが互いに接する形でクローズされ、その反対方向に完全に反り返って、第１及び第２ディスプレイ部１９０ａ、１９０ｂの背面が互いに接する形でオープンされる。或いは、ヒンジ部１８５の構成に応じて、１８０度に完全に開かれる形でオープンされる。ヒンジ部１８５を基準に、第１及び第２ディスプレイ部１９０ａ、１９０ｂが開かれる形については、後述する多様な実施形態を参照して具体的に説明する。
【００２９】
第１及び第２ディスプレイ部１９０ａ、１９０ｂは、制御部１３０の制御に応じて、各種アイコンを含む壁紙画面、ウェブブラウジング画面、アプリケーション実行画面、動画や写真等のような各種コンテンツ再生画面、ユーザインターフェース画面等のような画面を表示する。
【００３０】
このような第１、第２ディスプレイ部１９０ａ、１９０ｂは、ユーザのタッチを検知することができるタッチスクリーンで具現される。具体的に、第１、第２ディスプレイ部１９０ａ、１９０ｂは、タッチ検知部（図示せず）と表示部（図示せず）とが積層されて構成される。タッチ検知部は、ユーザのタッチを検知するタッチセンサ及びユーザのタッチが近接することを検知する近接センサで具現され、表示部はＬＣＤパネル等で具現される。
【００３１】
制御部１３０は、ユーザ選択に応じて、第１、第２ディスプレイ部１９０ａ、１９０ｂを制御し、多様な動作を行う。
【００３２】
制御部１３０は、マルチディスプレイ装置１００がターンオンされてブートされると、保存部１７０に保存された情報と予め設定された設定情報とに基づいて、壁紙画面を表示するように制御する。壁紙画面上には、ウェブブラウザ実行のためのアイコンをはじめとする各種アイコンが表示される。
【００３３】
ユーザは、画面タッチ、モーションジェスチャ、音声命令、ボタン操作等のような多様な入力方式を用いて、各種アイコンのうちの少なくとも１つを選択することができる。
【００３４】
それにより、ウェブブラウザアイコンが選択された場合、制御部１３０はウェブブラウザを実行させる。ウェブブラウザが実行されると、通信部１１０は外部装置にアクセスしてウェブページデータを受信する。受信したウェブページデータは、保存部１７０に保存される。受信したウェブページデータは、ＨＴＭＬ（Ｈｙｐｅｒ  Ｔｅｘｔ  Ｍａｒｋｕｐ  Ｌａｎｇｕａｇｅ）のようなフォーマットを有する。
【００３５】
制御部１３０は、保存されたウェブページデータを分析し、ウェブブラウジング画面を構成した後、第１、第２ディスプレイ部１９０ａ、１９０ｂのうちの少なくとも一方を通じて表示するように制御する。一方、制御部１３０は、受信したウェブページデータにリンクされた各種付加情報が存在する場合、その付加情報を保存部１７０に保存する。制御部１３０は、受信したウェブページデータを用いて第１ウェブブラウジング画面が構成されると、制御部１３０は、第１ウェブブラウジング画面を第１ディスプレイ部１９０ａ及び第２ディスプレイ部１９０ｂのうちの少なくとも一方に表示するように制御する。即ち、制御部１３０は、第１ウェブブラウジング画面を、表示するディスプレイ部に対して、多様な基準に基づいて決定する。一例として、デフォルト情報に基づいて決定する。即ち、第１ディスプレイ部１９０ａをメインディスプレイに設定するデフォルト情報が保存されている場合、制御部１３０は、第１ディスプレイ部１９０ａに第１ウェブブラウジング画面を表示する。
【００３６】
他の例として、制御部１３０は、各ディスプレイ部（１９０ａ、１９０ｂ）のディスプレイ状態に応じて、第１ウェブブラウジング画面を表示するディスプレイ部を決定する。例えば、第１ディスプレイ部１９０ａに他の画面が既に表示されている状態の場合、第２ディスプレイ部１９０ｂに先に第１ウェブブラウジング画面を表示する。
【００３７】
また、他の例として、前に実行されていたウェブブラウザが終了する時、最終的にウェブブラウジング画面が表示されていたディスプレイ部に、第１ウェブブラウジング画面を表示する。
【００３８】
また、他の例として、制御部１３０は、現在ディスプレイ部に表示されているアプリケーションの属性を判断し、ウェブブラウジングより優先順位の低いアプリケーションが表示されているディスプレイ部に第１ウェブブラウジング画面を表示するように制御することもできる。
【００３９】
その他、ユーザ設定情報に応じて、第１及び第２ディスプレイのうちの一方に第１ウェブブラウジング画面を表示するように定めることもでき、両ディスプレイ部を共通に使用して１つの第１ウェブブラウジング画面を表示することもできる。
【００４０】
第１ウェブブラウジング画面が表示された後、特定条件が満たされると、制御部１３０は、第２ウェブブラウジング画面を表示することもできる。この場合、第２ウェブブラウジング画面は、第１ウェブブラウジング画面が表示されていない側のディスプレイ部に表示される。例えば、第１ディスプレイ部１９０ａに第１ウェブブラウジング画面が表示されている場合、第２ウェブブラウジング画面は第２ディスプレイ部１９０ｂに表示される。一方、第１及び第２ディスプレイ部１９０ａ、１９０ｂの両方に第１ウェブブラウジング画面が表示されている状態の場合、第１ウェブブラウジング画面が縮小されて第１及び第２ディスプレイ部１９０ａ、１９０ｂの何れか一方に表示され、第２ウェブブラウジング画面が他方のディスプレイ部に表示されてもよい。
【００４１】
本明細書において、第１ウェブブラウジング画面とは、ウェブブラウザの実行によって最初に表示されるウェブページを意味し、第２ウェブブラウジング画面とは、第１ウェブブラウジング画面と別に新たに生成されて表示される２番目のウェブページを意味する。
【００４２】
制御部１３０は、第２ウェブブラウジング画面を第１ウェブブラウジング画面に関連する画面で構成することができる。第１ウェブブラウジング画面に関連する第２ウェブブラウジング画面とは、実施形態に応じて多様に変化する。
【００４３】
具体的に、制御部１３０は、第１ウェブブラウジング画面の特性、第１ウェブブラウジング画面に対するユーザ操作、第１ウェブブラウジング画面を提供する外部ソースの特性、第１ウェブブラウジング画面に含まれるリンク情報、第１ウェブブラウジング画面を構成するためのウェブページデータ内に含まれる付加情報等を考慮して第２ウェブブラウジング画面を決定する。以下、本発明の多様な実施形態によるウェブブラウジング動作を具体的に説明する。
【００４４】
＜多様な実施形態によるウェブブラウジング動作に対する説明＞
【００４５】
本発明の一実施形態によると、制御部１３０は、第１ウェブブラウジング画面が表示された後に、第１ウェブブラウジング画面内のオブジェクトが選択されると、その選択されたオブジェクトにリンクされたソースを用いて生成された第２ウェブブラウジング画面を表示する。ここで、オブジェクトとは、イメージ、テキスト、アイコン等のような多様な類型で具現される。
【００４６】
具体的に、第１ディスプレイ部１９０ａに第１ウェブブラウジング画面が表示された状態で第１ウェブブラウジング画面をユーザがタッチすると、制御部１３０は、第１ディスプレイ部１９０ａに設けられたタッチセンサ（図示せず）を用いてユーザタッチを検知する。それにより、タッチされた領域のＸ座標、Ｙ座標値を算出する。
【００４７】
本明細書では、マルチディスプレイ部を含むため、第１ディスプレイ部１９０ａと第２ディスプレイ部１９０ｂにおけるＸ座標及びＹ座標には一体の座標系を使用し、第１ディスプレイ１９０ａでタッチされたＸ１座標及びＹ１座標と、第２ディスプレイ部１９０ｂでタッチされたＸ２座標及びＹ２座標とが、それぞれのディスプレイ画面の同一の地点をタッチする場合であっても、その座標値は互いに異なるように算出される。
【００４８】
例えば、第１ディスプレイ部１９０ａで第１タッチされた領域のＸ座標が基準ピクセルから右方に１０ピクセル離れた地点であり、Ｙ座標が基準ピクセルから下方に２０ピクセル離れた地点である場合、第１タッチ領域の座標値は（１０、２０）となる。
【００４９】
例えば、ユーザが、第２ディスプレイ部１９０ｂで、第１ディスプレイ部１９０ａでタッチした地点と同一の地点をタッチした場合、当該第２タッチされた領域のＸ２座標は、第１タッチされた領域のＸ１座標より６００ピクセルが加えられた６１０ピクセルであり、Ｙ２座標は、第１タッチされた領域のＹ１座標と同様に、基準ピクセルから下方に２０ピクセル離れた地点になり、第２タッチ領域の座標値は（６１０、２０）となる。
【００５０】
制御部１３０は、算出された座標値と第１ウェブブラウジング画面とを比較し、第１ウェブブラウジング画面内に表示されたオブジェクトのうち、どのオブジェクトが選択されたかを判断する。ここで、オブジェクトとは、イメージ、写真、バナー広告、テキスト、図形、ＵＲＬアドレス、メニューアイコン等のように、多様な類型で具現される。
【００５１】
制御部１３０は、任意のオブジェクトが選択されたと判断すると、選択されたオブジェクトにリンクされたリンク情報を分析する。即ち、制御部１３０は、選択されたオブジェクトにリンクされた第１ソースデータが存在するか否かを判断する。判断の結果、第１ソースデータが存在する場合、制御部１３０は、第１ソースデータに基づいて外部サーバ（図示せず）と通信を行うように通信部１１０を制御する。
【００５２】
第１ソースデータは、第１ウェブブラウジング画面を構成するためのウェブページデータと共に受信されて保存部１７０に保存されてもよい。この場合、制御部１３０は、保存部１７０から第１ソースデータを読み取って使用することができる。その他、第１ソースデータは、ウェブページデータを提供するソースと別個のソースから提供されてもよく、マルチディスプレイ装置１００に接続された各種保存媒体や他の電子機器から提供されてもよい。
【００５３】
制御部１３０は、第１ソースデータに対応するソースから第２ウェブページデータを受信し、受信した第２ウェブページデータを用いて、第２ウェブブラウジング画面を生成する。制御部１３０は、生成された第２ウェブブラウジング画面を表示するように第２ディスプレイ部１９０ｂを制御する。このように生成された第２ウェブブラウジング画面は、第１ディスプレイ部１９０ａに表示された第１ウェブブラウジング画面に関連性のあるウェブブラウジング画面になる。
【００５４】
制御部１３０は、オブジェクトではない一般の背景画面部分が選択されたと判断すると、何らの動作を行わないか、又は画面ズームイン／ズームアウトやモード切り替え等のような一般の動作を行う。
【００５５】
一方、制御部１３０は、第１及び第２ウェブブラウジング画面がそれぞれ表示されている状態で、再び１つのウェブブラウジング画面に対するユーザタッチが行われると、そのタッチに応じて、新たに第３ウェブブラウジング画面を生成する。この場合、第３ウェブブラウジング画面は、ユーザタッチが行われたディスプレイ部ではない別のディスプレイ部に表示される。例えば、第２ウェブブラウジング画面のオブジェクトがタッチされた場合、そのタッチされたオブジェクトにリンクされた第３ウェブブラウジング画面は、第１ディスプレイ部に表示される。このとき、第１ウェブブラウジング画面は除去され、第３ウェブブラウジング画面の下部に遮られた状態で維持される。その他にも、第４ウェブブラウジング画面、第５ウェブブラウジング画面等が順次に生成され、対応するディスプレイ部によって表示される。表示されたウェブブラウジング画面間の位置切り替えは、ユーザ選択に応じて自由に行われる。このようなウェブブラウジング画面の表示及び切り替えについては、明細書の後半で再度具体的に説明する。
【００５６】
なお、各ウェブブラウジング画面のディスプレイオプションは、ユーザ選択やディスプレイ部の特性等に応じて個別に決定される。このとき、ディスプレイオプションは、解像度、画面サイズ、レイアウト、画面配列方向、カラー、フォント、文字サイズ等のような多様なオプションからなる。
【００５７】
一方、本発明の他の実施形態によると、制御部１３０は、ウェブサーバから受信した１つのウェブページデータに基づいて複数のウェブブラウジング画面を生成し、生成されたウェブブラウジング画面を各ディスプレイ部に表示する。例えば、制御部１３０は、第１ウェブブラウジング画面上でユーザが特定領域を選択すると、その選択された領域に対応する付加情報を第２ウェブブラウジング画面に表示する。ここで、ユーザの選択する領域とは、上述のように、オブジェクト単位であり、ユーザの身体の一部やペン、その他の入力手段によって指定される所定面積を有する画面領域単位である。オブジェクト単位で選択が行われる場合、その選択されたオブジェクトに対する詳細な説明や、拡大イメージ、関連イメージ等のような付加情報が第２ウェブブラウジング画面に表示される。或いは、所定画面領域単位で選択された場合、選択された画面領域が第２ウェブブラウジング画面に表示されてもよい。この場合、第１ウェブブラウジング画面が更新されると、第２ウェブブラウジング画面も同時に更新される。
【００５８】
上述の実施形態によると、制御部１３０は、多様なコンテンツが含まれるウェブサイトのメインページを第１ウェブブラウジング画面に表示しながら、第１ウェブブラウジング画面内のコンテンツのうちの１つの細部内容を第２ウェブブラウジング画面を通じてユーザに見せることができる。
【００５９】
この場合、制御部１３０は、第１ウェブブラウジング画面に対して別途のユーザ操作が行われない場合でも、自動的に第２ウェブブラウジング画面を構成して第１ウェブブラウジング画面が表示されているディスプレイ部以外のディスプレイ部に表示することもできる。
【００６０】
即ち、第１ウェブブラウジング画面を構成するためのウェブページデータを提供するソースでは、そのウェブページデータに付加される細部情報を別途に伝送することができ、制御部１３０は、その細部情報を用いて第２ウェブブラウジング画面を表示することができる。例えば、第１ウェブブラウジング画面にポータルインターネットサイトのメイン画面が表示される場合、ポータルインターネットサイトのメイン画面を構成するコンテンツのうちの特定コンテンツを構成する細部コンテンツ、例えばユーザが予め設定した特定コンテンツ、リアルタイム更新されたニュース記事、ポータルインターネットサイトから提供されるリアルタイム情報等のような多様な細部情報である。或いは、第１ウェブブラウジング画面に映画に関連するコンテンツが表示されている場合、コンテンツのあらすじや、登場人物、映画館情報、上映時間、鑑賞レビュー等の細部情報が配列され、自動的に表示されるように制御する。
【００６１】
一方、本発明の更に他の実施形態によると、制御部１３０は、１つのソース、即ちウェブサーバから提供されるウェブページデータに含まれるメインコンテンツと付加コンテンツとを分離させ、分離されたコンテンツを用いて第１及び第２ブラウジング画面を生成する。
【００６２】
ここで、付加コンテンツとは、バナー広告、フラッシュ映像、ポップアップ映像等のように、メインコンテンツに対して付加的に提供されるコンテンツを意味する。ポータルサイト等には、多様な広告が基本コンテンツと共に提供されるため、このような付加コンテンツによって基本コンテンツの表示空間が不足するおそれがある。従って、本実施形態では、付加コンテンツのみを別途に分離して他の画面に提供することにより、ユーザがメインコンテンツを効果的に確認することができるようになる。
【００６３】
具体的に、制御部１３０は、受信しソースデータから基本コンテンツと付加コンテンツとの属性を分析して基本コンテンツと付加コンテンツとを分離する。制御部１３０は、基本コンテンツを含む第１ウェブブラウジング画面を生成し、付加コンテンツを含む第２ウェブブラウジング画面を生成する。即ち、第２ウェブブラウジング画面は、第１ウェブブラウジング画面に元々含まれていたバナー広告、フラッシュ映像、ポップアップ映像のみを集めた画面で具現される。なお、第１ウェブブラウジング画面には、基本コンテンツ及び付加コンテンツが含まれるか又は基本コンテンツのみが含まれる。
【００６４】
このとき、付加コンテンツとして、バナー広告、フラッシュ映像、ポップアップ映像等が含まれる。第１及び第２ディスプレイ部１９０ａ、１９０ｂのディスプレイサイズが小さい場合、バナー広告、フラッシュ映像、ポップアップ映像等によってメインコンテンツの視聴を妨害されるおそれがある。
【００６５】
従って、このようなことを防止するため、制御部１３０は、付加コンテンツのみを別途に分離し、第２ウェブブラウジング画面に表示する。例えば、基本コンテンツに含まれるメタデータと付加コンテンツとに含まれたメタデータとを相互に比較し、付加コンテンツと基本コンテンツとを区別する。
【００６６】
即ち、制御部１３０は、ソースデータに含まれる基本コンテンツを識別するメタデータと付加コンテンツを識別するメタデータとを分析する。分析されたメタデータを相互に比較し、基本コンテンツと付加コンテンツの有無を判断する。その他にも、基本コンテンツと付加コンテンツとを区別する方式として、他の実施形態で、第２ウェブブラウジング画面は、第１ウェブブラウジング画面と同一のコンテンツを異なるレイアウトで構成した画面であってもよい。第１ウェブブラウジング画面に対するウェブページデータを提供する外部装置は、同一のコンテンツを多様なバージョンで提供することができる。各バージョンは、レイアウトが異なるように設定される。例えば、パソコン用の画面とモバイル用の画面とが同時に提供される。制御部１３０は、これらの画面のうちの１つであるパソコン用の画面を第１ウェブブラウジング画面に表示し、それと別途に、モバイル用の画面を第２ウェブブラウジング画面に表示する。
【００６７】
更に他の実施形態として、制御部１３０は、第１ウェブブラウジング画面の解像度、サイズ、横：縦比率等を異なった値に変更し、第２ウェブブラウジング画面を生成することもできる。制御部１３０は、ディスプレイ部のディスプレイ設定が変更される場合には、現在表示されているウェブブラウジング画面を再生成して表示するように制御する。
【００６８】
以上のように、制御部１３０は、複数のウェブブラウジング画面を複数のディスプレイ部１９０ａ、１９０ｂを介して選択的にウェブブラウジング画面や、各種アプリケーション実行画面を表示するように制御することができる。各ウェブブラウジング画面の表示方法については、実施形態毎に多様に定められる。
【００６９】
このような各実施形態によるディスプレイ動作及びそのウェブブラウジング画面に対しては、詳細に後述する。各ウェブブラウジング画面は、互いに異なるディスプレイオプションに応じて表示される。例えば、ユーザは、第１及び第２ディスプレイ部１９０ａ、１９０ｂに対して、それぞれ画面サイズ、レイアウト、画面配列方向、カラー、フォント、文字サイズ等のような多様なディスプレイオプションを設定する。制御部１３０は、設定されたディスプレイオプションを保存部１７０に保存し、保存されたディスプレイオプションに応じて表示を行うように、第１及び第２ディスプレイ部１９０ａ、１９０ｂを制御する。
【００７０】
一方、上述のように、第１及び第２ウェブブラウジング画面が表示された状態で、制御部１３０は多様な後続処理を行う。
【００７１】
例えば、第１ウェブブラウジング画面及び第２ウェブブラウジング画面がそれぞれ表示された状態で、再び一方のディスプレイ部に対するユーザのタッチが行われると、制御部１３０は、タッチされたオブジェクトに対応する第３ウェブブラウジング画面を生成した後、タッチされていない他方のディスプレイ部に第３ウェブブラウジング画面を表示する。
【００７２】
また、上述の第２ウェブブラウジング画面で１つのオブジェクトが選択された場合、制御部１３０は、選択されたオブジェクトにリンクされたソースデータを用いて外部ソースと通信を行うように通信部１１０を制御する。制御部１３０は、新たに接続された外部ソースから第３ウェブページデータを受信すると、それに基づいて第３ウェブブラウジング画面を生成し、第３ウェブブラウジング画面を第１ディスプレイ部１９０ａに表示する。
【００７３】
制御部１３０は、第３ウェブブラウジング画面を第１ウェブブラウジング画面上にオーバーラップさせて表示する。このとき、第１ディスプレイ部１９０ａの画面の一側には、第１ウェブブラウジング画面に戻るためのメニューや、第１ウェブブラウジング画面が下位に存在することを報知するためのタップ等が同時に表示される。
【００７４】
第１ウェブブラウジング画面と第３ウェブブラウジング画面とをオーバーラップさせて表示した場合、ユーザ選択に応じて第１ウェブブラウジング画面及び第３ウェブブラウジング画面間の位置を交互に切り替えることができる。例えば、第１ディスプレイ部１９０ａに第１〜Ｎウェブブラウジング画面がオーバーラップされて表示された状態で、ユーザ選択に応じて第１ウェブブラウジング画面で第Ｎウェブブラウジング画面が最新のものからアップデートされた順に配列されて表示される。このような状態で、ユーザが画面上のメニューをタッチするか又は予め設定されたジェスチャ等を行うと、第１〜Ｎウェブブラウジング画面は順次に切り替えられる。或いは、ユーザがタッチした場合に、特定ウェブブラウジング画面、例えば最初のウェブブラウジング画面に直ちに切り替わるように設定することもできる。
【００７５】
複数のウェブブラウジング画面がオーバーラップされて表示されることは、複数のウェブブラウジング画面が重なって表示されることを意味し、１つのウェブブラウジング画面に対しては全画面内容を見ることができるが、残りのウェブブラウジング画面は別のウェブブラウジング画面に遮られて全体を見ることができないように表示されることを意味する。
【００７６】
一方、上述の実施形態では、第１ウェブブラウジング画面上に第３ウェブブラウジング画面がオーバーラップされるものとして説明したが、それと異なる実施形態で、制御部１３０は、第１ウェブブラウジング画面を第１ディスプレイ部１９０ａから消し、第３ウェブブラウジング画面を表示することもできる。
【００７７】
保存部１７０は、上述のように、ウェブサーバから受信した各種ウェブページデータ及び付加データを保存する。その他にも、保存部１７０は、マルチディスプレイ装置の動作に使用される各種プログラム及びデータを保存する。
【００７８】
保存部１７０は、制御部１３０の内部に存在するＲＯＭ１３５及びＲＡＭ１３７（図２参照）とは別途に設けられた保存媒体を意味する。保存部１７０は、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、フラッシュメモリ（Ｆｌａｓｈ  Ｍｅｍｏｒｙ）、ＵＳＢメモリ等で具現される。
【００７９】
保存部１７０は、制御部１３０の制御下で、各種のマルチメディアコンテンツデータを保存し、システムに関する管理データ、システム使用履歴、ユーザ別のウェブブラウジング画面表示履歴に関する情報、ディスプレイ別のウェブブラウジング画面表示履歴に関する情報を保存する。特に、保存部１７０は、ウェブブラウジング画面表示履歴に関する情報を継続して保存する。このようなウェブブラウジング画面表示履歴は、マルチディスプレイ装置１００に使用されるＯＳ（Ｏｐｅｒａｔｉｎｇ  Ｓｙｓｔｅｍ）の種類に応じて、多様な形式及び方法で保存されて管理される。
【００８０】
なお、保存部１７０は、制御部１３０の制御に応じて、外部から受信したデータを保存する。制御部１３０は、保存部１７０に記録された各種データのメモリアドレスを用いて当該データの位置を検索し、当該位置からデータ値を読み取る。
【００８１】
図２は、図１に示す制御部の具体的な構成を示すブロック図であり、多様な具現例によるマルチディスプレイ装置の制御部の細部構成を説明するためのブロック図である。図２によると、制御部１３０は、ＣＰＵ１３１、ＧＰＵ１３３、ＲＡＭ１３５、ＲＯＭ１３７、及びシステムバス１３９を含む。以下、制御部１３０の機能を概略的に説明する。
【００８２】
ＣＰＵ１３１は、制御部１３０を構成する内部構成要素だけでなく、マルチディスプレイ装置に含まれる全般の構成要素に対する制御を行う。具体的に説明すると、ＣＰＵ１３１は、システムバス１３９を介して各ブロック部とデータ通信を行うと同時に、各種ブロック部の機能を制御し、その制御結果を収集し、それに基づいて制御部１３０に接続された各種の周辺装置に制御信号を伝送し、周辺装置を制御する機能を遂行する。
【００８３】
例えば、ＣＰＵ１３１は、ＲＯＭ１３７に予め保存されたブート情報を用いてブートを行う。ＣＰＵ１３１は、保存部（図示せず）に保存されたデータをＲＡＭ１３５に読み取り、ＲＡＭ１３５に保存されているデータのうち、グラフィック処理が必要なデータをＧＰＵ１３３に伝達する。ＣＰＵ１３１は、ＧＰＵ１３３によってグラフィック処理されたデータを受信し、システムバス１３９に接続されたＬＣＤコントローラ（図示せず）に伝達し、ディスプレイ部にイメージを表示する。
【００８４】
ＣＰＵ１３１は、ＧＰＵ１３３によって処理されたイメージデータを、ＲＡＭ１３５に予め設定された領域上に割り当てられた仮想フレームバッファ領域に一時的に保存する。ＣＰＵ１３１は、ディスプレイ部の最大解像度（例えば、１０２４×６００）をサポートするように仮想フレームバッファの領域を割り当てる。２つのディスプレイ部である場合には、１０２４×１２００の大きさで仮想フレームバッファの領域を割り当てる。
【００８５】
ＣＰＵ１３１は、仮想フレームバッファに一時的に保存されたデータをＧＰＵ１３３に入力してデジタル信号処理を行う。
【００８６】
ＧＰＵ１３３は、ＣＰＵ１３１の制御下で入力されたデータに対するグラフィック処理を行う。具体的に、ＧＰＵ１３３は、演算部（図示せず）及びレンダリング部（図示せず）を用いて、アイコン、イメージ、テキスト等のような多様なオブジェクトを含む画面を生成する。演算部は、画面のレイアウトに沿って各オブジェクトが表示される座標値、形、大きさ、カラー等のような属性値を演算する。レンダリング部は、演算部で演算された属性値に基づいてオブジェクトを含む多様なレイアウトの画面を生成する。レンダリング部で生成された画面は、システムバス１３９を介して第１及び第２ディスプレイ部１９０ａ、１９０ｂに伝達されてディスプレイ領域内に表示されるか又は保存部１７０に保存される。
【００８７】
ＣＰＵ１３１は、ＧＰＵ１３３によってグラフィック処理されたデータを第１及び第２ディスプレイ部１９０ａ、１９０ｂのうちの少なくとも一方を通じて表示するか又は保存部１７０に保存するように制御し、また処理されたデータをディスプレイコントローラ（図示せず）に入力する。
【００８８】
ＧＰＵ１３３は、デコーダ（ｄｅｃｏｄｅｒ）、レンダラー（ｒｅｎｄｅｒｅｒ）、スケーラ（ｓｃａｌｅｒ）等を含む。それにより、保存されたコンテンツをデコードし、デコードされたコンテンツデータをレンダリングしてフレームを構成し、構成されたフレームのサイズをディスプレイコントローラ（図示せず）の制御によってディスプレイの大きさに合わせてスケーリングする。例えば、第１及び第２ディスプレイ部１９０ａ、１９０ｂの何れか一方で表示される画面の場合、その大きさに合わせてスケーリングし、両ディスプレイ部の全てにおいて表示される画面の場合、全ディスプレイサイズに合わせてスケーリングする。ＧＰＵ１３３は、処理されたフレームをディスプレイ部に提供して表示する。
【００８９】
制御部１３０は、その他にも、オーディオ処理部及びインターフェース部等を更に含む。インターフェース部は、周辺の構成要素とインターフェーシングを行う。
【００９０】
オーディオ処理部（図示せず）は、オーディオインターフェース（図示せず）を通じてマルチメディア部１２０（図８参照）とインターフェースし、オーディオデータを処理してスピーカのような音響出力手段を介して提供する構成要素を意味する。オーディオ処理部は、保存部１７０に保存されたオーディオデータや、通信部１１０を介して受信したオーディオデータをデコードし、ノイズフィルタリングした後、適正音量に増幅する等のオーディオ信号処理を行う。上述の例において、再生されるコンテンツが動画コンテンツである場合、オーディオ処理部は、動画コンテンツからデマルチプレキシングされたオーディオデータを処理し、ＧＰＵ１３３と同期させて出力するようにスピーカに提供する。
【００９１】
ＣＰＵ１３１は、ウェブブラウジングデータにオーディオデータが含まれている場合、ウェブブラウジング画面を表示すると同時に、そのオーディオ処理部を制御してオーディオ信号を再生する。
【００９２】
ＣＰＵ１３１は、ウェブブラウザプログラムが実行されると、ネットワークインターフェース（図示せず）を通じてウェブサーバにアクセスする。ウェブサーバからウェブページデータが受信されると、ＣＰＵ１３１は、ＧＰＵ１３３を制御してウェブページ画面を構成し、構成されたウェブページ画面をマルチディスプレイ部に表示する。マルチディスプレイ部とは、上述の第１及び第２ディスプレイ部１９０ａ、１９０ｂとヒンジ部１８５とを含む構成の通称である。
【００９３】
ＲＯＭ１３７には、システムブートのための命令語セット等が保存される。ターンオン命令が入力されて電源が供給されると、ＣＰＵ１３１は、ＲＯＭ１３７に保存された命令語に応じて、保存部１７０に保存されたＯＳをＲＡＭ１３５にコピーし、ＯＳを実行させてシステムをブートさせる。ブートが完了すると、ＣＰＵ１３１は、保存部１７０に保存された各種アプリケーションプログラムをＲＡＭ１３５にコピーし、ＲＡＭ１３５にコピーされたアプリケーションプログラムを実行させて各種動作を行う。このように、ＣＰＵ１３１は、保存部１７０に保存されたアプリケーションプログラムの実行に応じて多様な動作を行うことができる。
【００９４】
上述のように、マルチディスプレイ装置１００でタッチ及びその他のユーザ操作が検知されると、制御部１３０は、ユーザ操作が意図されたものか否かを判断する。判断の結果、意図されたユーザ操作と判断された場合、そのユーザ操作に対応する動作に対する情報を保存部１７０から読み取った後、その情報に対応する動作を行う。このような制御部１３０の動作は、保存部１７０に保存された各種プログラムの実行によって具現される。
【００９５】
上述のように、マルチディスプレイ装置１００は、多様な構成要素で構成される。マルチディスプレイ装置１００は、複数のディスプレイ部を備えているため、そのディスプレイ部を活用して多様な画面を提供することができる。以下、マルチディスプレイ装置の基本的な細部構成及び動作に対する多様な例を記述する。
【００９６】
＜マルチディスプレイ装置の基本構成及び動作に対する例＞
【００９７】
図３は、複数のフレームバッファを用いて各ディスプレイ部の動作を制御するマルチディスプレイ装置の構成を示すブロック図である。
【００９８】
図３において、マルチディスプレイ装置は、第１及び第２ディスプレイ部１９０ａ、１９０ｂと、ディスプレイ制御部１３４とを含む。ディスプレイ制御部１３４は、図２の制御部１３０と別の構成要素として設けられてもよく、制御部１３０内に含まれる構成要素であってもよい。
【００９９】
図３を参照すると、ディスプレイ制御部１３４は、第１フレームバッファ１３４ａ−１、第１ディスプレイドライバ１３４ａ−２、第２フレームバッファ１３４ｂ−１、及び第２ディスプレイドライバ１７５ｂ−２を含む。
【０１００】
第１フレームバッファ１３４ａ−１は、第１ディスプレイ部１９０ａに表示されるイメージフレームをバッファリングし、第２フレームバッファ１３４ｂ−１は、第２ディスプレイ部１９０ｂに表示されるイメージフレームをバッファリングする。
【０１０１】
例えば、ＧＰＵ１３３によってデジタル信号処理されたイメージフレームは、第１、２フレームバッファ１３４ａ−１、１３４ｂ−１にビットマップ形態で保存される。この場合、各フレームバッファ（１３４ａ−１、１３４ｂ−１）のバッファリング領域は、各ディスプレイ部（１９０ａ、１９０ｂ）からサポート可能な最大ピクセルサイズに合わせて割り当てられる。例えば、第１ディスプレイ部で表示できる最大ピクセルが１０２４×１２００である場合に、第１フレームバッファは１０２４×１２００サイズのビットマップ形式のイメージが保存されるようにバッファ保存領域を割り当てる。第１ディスプレイドライバ１３４ａ−２は、第１フレームバッファ１３４ａ−１にビットマップ形式で保存されたイメージフレームを分析し、第１イメージソース信号に変換する。第１ディスプレイドライバ１３４ａ−２は、第１イメージソース信号を第１ディスプレイ部１９０ａに提供し、第１ディスプレイ部１９０ａはイメージフレームを表示するように駆動する。
【０１０２】
同様に、第２ディスプレイドライバ１３４ｂ−２は、第２フレームバッファ１３４ｂ−１にビットマップ形式で保存されたイメージフレームを分析して第２イメージソース信号に変換し、それを第２ディスプレイ部１９０ｂに提供して表示させる。
【０１０３】
図３で、各ディスプレイ部（１９０ａ、１９０ｂ）に対応する第１フレームバッファ１３４ａ−１と第２フレームバッファ１３４ｂ−１とが別途に設けられるものとして示しているが、次の図４で、他の実施形態による１つの統合フレームバッファが使用される実施形態を示す。
【０１０４】
図４は、統合フレームバッファ１３４−１を用いて各ディスプレイ部（１９０ａ、１９０ｂ）の動作を制御するマルチディスプレイ装置１００の構成を示すブロック図である。フレームバッファが統合フレームバッファ１３４−１形態で具現される場合、第１、２ディスプレイ部の最大解像度より大きいサイズの統合フレームバッファ１３４−１の大きさを割り当てて具現する。
【０１０５】
例えば、第１、２ディスプレイ部がそれぞれ最大１０２４×８００の解像度を表示する場合、統合フレームバッファ１３４−１は１０２４×１６００の解像度を表示するフレームバッファサイズで保存領域を割り当てる。統合フレームバッファ１３４−１の第１領域には第１ディスプレイ部１９０ａに表示される第１イメージフレームが保存され、第２領域には第２ディスプレイ部１９０ｂに表示される第２イメージフレームが保存される。
【０１０６】
ディスプレイドライバ１３４−２は、統合フレームバッファ１３４−１に保存された第１イメージフレーム及び第２イメージフレームのアドレスを用いて第１ディスプレイ部１９０ａ又は第２ディスプレイ部１９０ｂに第１、２イメージフレームを提供し、それぞれのディスプレイ部を駆動する。
【０１０７】
図５は、ディスプレイ部の具体的な構成の一例を示す図である。説明の便宜上、図５では、第１ディスプレイ部のみを示しているが、第２ディスプレイ部もそれと同様の形態で具現される。
【０１０８】
図５を参照すると、第１ディスプレイ部１９０ａは、タイミングコントローラ２３１、ゲートドライバ２３２、データドライバ２３３、電圧駆動部２３４、及び表示パネル２３５を含む。
【０１０９】
タイミングコントローラ２３１は、外部からタッチスクリーン部の解像度に適したクロック信号（ＤＣＬＫ）、水平同期信号（Ｈｓｙｎｃ）、及び垂直同期信号（Ｖｓｙｎｃ）等を受信してゲート制御信号（走査制御信号）及びデータ制御信号（データ信号）を生成し、入力されたＲ、Ｇ、Ｂデータを再配列してデータドライバ２３３に供給する。
【０１１０】
タイミングコントローラ２３１は、ゲート制御信号に関連して、ゲートシフトクロック（ＧＳＣ）、ゲート出力イネーブル（ＧＯＥ）、及びゲート開始パルス（ＧＳＰ）等を生成する。ここで、ＧＳＣは、Ｒ、Ｇ、Ｂ有機発光素子（ＯＬＥＤ）のような発光素子に接続された薄膜トランジスタ（ＴＦＴ）がオン／オフされる時間を決定する信号であり、ＧＯＥはゲートドライバ２３２の出力を制御する信号であり、ＧＳＰは１つの垂直同期信号のうちの画面の一番目の駆動ラインを報知する信号である。
【０１１１】
更に、タイミングコントローラ２３１は、データ制御信号に関連して、ソースサンプリングクロック（ＳＳＣ）、ソース出力イネーブル（ＳＯＥ）、及びソース開始パルス（ＳＳＰ）等を生成する。ここで、ＳＳＣは、データドライバ２３３でデータをラッチさせるためのサンプリングクロックとして使用され、データドライブＩＣの駆動周波数を決定する。ＳＯＥは、ＳＳＣによってラッチされたデータを表示パネル２３５に伝達する。ＳＳＰは、１つの水平同期期間中にデータのラッチ又はサンプリング開始を報知する信号である。
【０１１２】
ゲートドライバ２３２は、走査信号を生成する構成として、走査線（Ｓ１、Ｓ２、Ｓ３、…、Ｓｎ）を通じて表示パネル２３５に接続される。ゲートドライバ２３２は、タイミングコントローラ２３１によって生成されたゲート制御信号に応じて電圧駆動部２３４から提供されるゲートオン／オフ電圧（Ｖｇｈ／Ｖｇｌ）を表示パネル２３５に印加する。ゲートオン電圧（Ｖｇｈ）は、表示パネル２３５に単位フレーム映像の具現のために、ゲートライン１（ＧＬ１）からゲートラインＮ（ＧＬｎ）まで順次に提供される。
【０１１３】
データドライバ２３３は、データ信号を生成する構成として、データ線（Ｄ１、Ｄ２、Ｄ３、…、Ｄｍ）を通じて表示パネル２３５に接続される。データドライバ２３３は、タイミングコントローラ２３１によって生成されたデータ制御信号に応じてスケーリングが完了し、映像イメージフレームのＲＧＢデータを表示パネル２３５に入力する。データドライバ２３３は、直列（ｓｅｒｉａｌ）に提供されるＲＧＢの映像データをタイミングコントローラ２３１で並列（ｐａｒａｌｌｅｌ）に変換し、デジタルデータをアナログ電圧に変換して１つの水平ライン分に該当する映像データを表示パネル２３５に提供する。この過程は、各水平ライン別に順次に行われる。
【０１１４】
電圧駆動部２３４は、ゲートドライバ２３２、データドライバ２３３、及び表示パネル２３５等にそれぞれの駆動電圧を生成して供給する。即ち、外部から商用電源、即ち１１０Ｖ又は２２０Ｖの交流電圧が提供され、表示パネル２３５に必要な電源電圧（ＶＤＤ）を生成して提供し、接地電圧（ＶＳＳ）を提供する。また、ゲートオン電圧（Ｖｇｈ）を生成してゲートドライバ２３２に提供する。そのため、電圧駆動部２３４は個別に作動する複数の電圧駆動モジュール（図示せず）を含む。ここで、複数の電圧駆動モジュール（図示せず）は、制御部１３０の制御に応じて、それぞれ異なる電圧を提供するように作動し、制御部１３０は予め設定された情報に応じて複数の電圧駆動モジュールがそれぞれ異なる駆動電圧を提供するように電圧駆動部２３４を制御する。例えば、複数の電圧駆動モジュールのそれぞれは、制御部１３０の制御に応じて、予め設定された情報に応じてそれぞれ異なる第１電圧及びデフォルトで設定された第２電圧を提供する。
【０１１５】
一実施形態によると、電圧駆動部２３４は、複数個の領域に区分された表示パネル２３５の各領域に対応する複数個の電圧駆動モジュールを含む。この場合、制御部１３０は、複数個の領域のそれぞれの画面情報（又は、入力映像情報）に応じて、それぞれ異なる第１電圧、即ちＥＬＶＤＤ電圧を提供するように複数個の電圧駆動モジュールを制御する。即ち、データドライバ２３３に入力される映像信号を用いてＥＬＶＤＤ電圧の大きさを制御する。ここで、画面情報は、入力映像の輝度及び階調情報の少なくとも何れか一方である。
【０１１６】
表示パネル２３５は、互いに交差して画素領域を定義する複数のゲートライン（ＧＬ１〜ＧＬｎ）とデータライン（ＤＬ１〜ＤＬｎ）とが形成され、その交差する画素領域２３６には、ＯＬＥＤのようなＲ、Ｇ、Ｂの発光素子が形成される。そして、画素領域２３６の一領域、より正確に、角にはスイッチング素子、即ちＴＦＴが形成される。このようなＴＦＴのターンオン動作時にデータドライバ２３３から階調電圧がそれぞれのＲ、Ｇ、Ｂの発光素子に提供される。このとき、Ｒ、Ｇ、Ｂの発光素子は階調電圧に基づいて提供された電流量に相応して光を提供する。即ち、Ｒ、Ｇ、Ｂの発光素子は多くの電流量が提供されると、その分多くの光を提供する。
【０１１７】
図６は、図５に示す表示パネルを構成するＲ、Ｇ、Ｂ画素を構成する回路の一例を示す図である。
【０１１８】
図６を参照すると、表示パネル２３５は、３つのＲ、Ｇ、Ｂ画素領域２３６を含む。Ｒ、Ｇ、Ｂの画素領域２３６は、スキャン信号（Ｓ１）及びゲートオン電圧（Ｖｇｈ）によって作動するスイッチング素子（Ｍ１１、Ｍ２１、Ｍ３１）、データライン（ＤＬ１〜ＤＬｎ）に提供される変更された高階調値を含む画素値に基づいて電流を出力するスイッチング素子（Ｍ１２、Ｍ２２、Ｍ３２）、そしてタイミングコントローラ２３１から提供される制御信号に応じて、スイッチング素子（Ｍ１２、Ｍ２２、Ｍ３２）からＲ、Ｇ、Ｂの発光素子に提供される電流量を調節するスイッチング素子（Ｍ１３、Ｍ２３、Ｍ３３）を含む。そして、このようなスイッチング素子（Ｍ１３、Ｍ２３、Ｍ３３）は、有機発光素子（ＯＬＥＤ）に接続され、ＯＬＥＤに電力を供給する。ここで、ＯＬＥＤは、蛍光又は燐光有機物薄膜に電流を流すと、磁場発光の原理を用いて自ら光を発するディスプレイをいう。ＯＬＥＤのアノード（ａｎｏｄｅ）電極は画素回路に接続され、カソード（ｃａｔｈｏｄｅ）電極はＥＬＶＳＳに接続される。このようなＯＬＥＤは、画素回路から供給される電流に対応して所定の輝度の光を発生する。ここで、スイッチング素子（Ｍ１１、Ｍ２１、Ｍ３１）のゲート電極は走査線（Ｓ１）に接続され、ソース電極及びドレイン電極のうちの何れか一方はデータ線（Ｄ１、Ｄ２、Ｄ３）に接続される。このような表示パネル２３５は、ＡＭ−ＯＬＥＤ（Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ）パネルで具現される。但し、上述の実施形態は、本発明の一実施形態に過ぎず、本発明の１つのラインが同時に発光して駆動する方式であるＰＭ  ＯＬＥＤ（Ｐａｓｓｉｖｅ  Ｍａｔｒｉｘ  Ｏｒｇａｎｉｃ  Ｌｉｇｈｔ−Ｅｍｉｔｔｉｎｇ  Ｄｉｏｄｅ）を排除しないことは勿論である。
【０１１９】
図６の実施形態では、ＯＬＥＤについて説明したが。ディスプレイ部は、液晶ディスプレイ（ＬＣＤ）パネル、プラズマディスプレイパネル（ＰＤＰ）、ＶＦＤ（Ｖａｃｕｕｍ  Ｆｌｕｏｒｅｓｃｅｎｔ  Ｄｉｓｐｌａｙ）、ＦＥＤ（Ｆｉｅｌｄ  Ｅｍｉｓｓｉｏｎ  Ｄｉｓｐｌａｙ）、ＥＬＤ（Ｅｌｅｃｔｒｏ  Ｌｕｍｉｎｅｓｃｅｎｃｅ  Ｄｉｓｐｌａｙ）等の多様なディスプレイ技術で具現され得る。
【０１２０】
図７は、本発明の一実施形態によるディスプレイ部の断面図である。図７の構成は、上述のような第１及び第２ディスプレイ部１９０ａ、１９０ｂに提供される。
【０１２１】
図７を参照すると、ディスプレイ部は、上部基板３６２と下部基板２６１とが密着した表示パネル部３６０、表示パネル３６０の上部基板３６２に設けられた上部偏光板３００、及び上部偏光板３００の周縁領域に設けられた下部電極３１０と、下部電極３１０に接続されて上部偏光板３００上に設けられた下部透明電極３３０、上部透明電極３４２が設けられて上部基板３６２に付着されたタッチパッド部３４０、及び上部透明電極３４２と下部透明電極３３０との間に設けられた突起部３５０とを含む。そして、ディスプレイ部は、下部基板３６１に設けられた下部偏光板３０１を含む。
【０１２２】
タッチパッド部３４０は、ベースフィルム３４１、ベースフィルム３４１上に設けられた上部透明電極３４２、及び上部透明電極３４２上に設けられた上部電極３４３を含む。
【０１２３】
上部基板３６２と下部基板３６１との間の領域には、液晶層３６３が設けられる。上部基板３６２及び下部基板３６１は、画像を表示する表示領域と表示領域の周縁に設けられた周縁領域とを含む。下部基板３６１の表示領域には、図示していないが、複数のゲートライン及び複数のゲートライン、複数のゲートラインとデータラインとの交差領域に設けられた薄膜トランジスタ、及び薄膜トランジスタに接続された画素電極が設けられ、画素電極とその一部とが重畳する維持電極が設けられる。そして、下部基板３６１の周辺領域には、ゲートライン及びデータラインに接続された複数のパッド部が設けられる。
【０１２４】
上部基板３６２と下部基板３６１とは、シーラントのような密封部材３６４を用いて密封される。密封部材３６４は、上部基板３６２と下部基板３６１との周辺領域に設けられる。図７のディスプレイ部の場合、外部からタッチパッド部３４０を所定の力で押すと、力が印加された領域の突起部３５０が下部透明電極３３０に密着し、それにより、下部透明電極３３０と上部透明電極３４２との間が電気的に接続される。電気的接続を通じて上部透明電極３４２及び／又は下部透明電極３３０を流れる電流が変化し、このような変化を別途の検知手段（図示せず）を通じて検知する。検知手段は、検知された信号を別途に具備された制御部１３０に伝達する。制御部１３０は、検知された信号を用いて電流の流れが変化した領域の座標を生成し、それを所定のドライバ（図示せず）に伝達する。ドライバは、入力された座標に対応して表示パネル部３６０に表示された画像をマウスのような入力道具を用いて操作した場合と同様の動作を行う。
【０１２５】
図８は、本発明の一実施形態によるマルチディスプレイ装置の構成をより具体的に示すブロック図である。
【０１２６】
図８は、本発明の一実施形態によるマルチディスプレイ装置の構成を総合的に説明するためのブロック図である。図８において、マルチディスプレイ装置１００は、通信部１１０のセルラー通信モジュール１１１、無線ＬＡＮモジュール１１２、近距離通信モジュール１１３、及びコネクタ１１４のうちの少なくとも１つを用いて外部装置（図示せず）と接続される。“外部装置”は、他の装置、携帯電話、スマートフォン、タブレットパソコン、コンピュータサーバ、及びデジタルテレビのうちの少なくとも１つを含む。
【０１２７】
図８を参照すると、マルチディスプレイ装置１００は、２つのディスプレイ部１９０ａ、１９０ｂを含む。図８では、２つのディスプレイ部を示しているが、ディスプレイ部は３つ以上に拡張されて変更実行され得る。
【０１２８】
本実施形態によるマルチディスプレイ装置１００は、通信部１１０、マルチメディア部１２０、制御部１３０、撮像部１４０、センサ部１５０、入／出力部１６０、保存部１７０、電源部１８０、及び第１、２ディスプレイ部１９０ａ、１９０ｂを含む。
【０１２９】
通信部１１０は、セルラー通信モジュール１１１、無線ＬＡＮモジュール１１２、近距離通信モジュール１１３、コネクタ１１４、ＧＰＳモジュール１１５、及び放送通信モジュール１１６を含む。
【０１３０】
セルラー通信モジュール１１１は、制御部１３０の制御に応じて、セルラー通信プロトコルによる無線アクセス技術を使用し、マルチディスプレイ装置１００が少なくとも１つ又は複数のアンテナ（図示せず）を介して外部装置（特に、セルラーシステムの基地局）に接続されるようにする。
【０１３１】
セルラー通信モジュール１１１は、マルチディスプレイ装置１００に入力される電話番号を有する携帯電話、スマートフォン、タブレットパソコン、又は他の装置のような通信可能な他の機器と、音声通話、テレビ電話、ショートメッセージサービス（ＳＭＳ）、又はマルチメディアメッセージサービス（ＭＭＳ）を組み込んだ無線信号を送受信する。
【０１３２】
なお、通信部１１０は、無線ＬＡＮモジュール１１２と近距離通信モジュール１１３のうちの少なくとも一方を含む。例えば、無線ＬＡＮモジュール１１２のみを含むか又は近距離通信モジュール１１３のみを含み、或いは、無線ＬＡＮモジュール１１２と近距離通信モジュール１１３との両方を含んでもよい。
【０１３３】
無線ＬＡＮモジュール１１２は、制御部１３０の制御によって、無線ＡＰ（アクセスポイント）（図示せず）が設置された場所でインターネットに接続される。無線ＬＡＮモジュール１１２は、米国電気電子協会（ＩＥＥＥ）の無線ＬＡＮ規格（ＩＥＥＥ８０２．１１ｘ）をサポートする。
【０１３４】
近距離通信モジュール１１３は、制御部１３０の制御によってマルチディスプレイ装置１００と外部機器との間で無線による近距離通信を行う。近距離通信モジュールは、ブルートゥース（登録商標）、赤外線通信（ＩｒＤＡ）等を含む。
【０１３５】
コネクタ１１４は、ＵＳＢ２．０、ＵＳＢ３．０、ＨＤＭＩ（登録商標）、ＩＥＥＥ１３９４等、多様な装置とのインターフェースを提供する。
【０１３６】
コネクタ１１４は、マルチディスプレイ装置１００と外部装置又は電源ソースを接続するためのインターフェースとして利用される。制御部１３０の制御によって、コネクタ１１４に接続された有線ケーブルを通じてマルチディスプレイ装置１００の保存部１７０に保存されたデータを外部装置に送信するか又は外部装置からデータを受信する。コネクタ１１４に接続された有線ケーブルを通じて、電源ソースから電源が入力され、またバッテリ（図示せず）を充電する。
【０１３７】
ＧＰＳモジュール１１５は、地球軌道上にある複数のＧＰＳ衛星（図示せず）から電波を受信し、ＧＰＳ衛星（図示せず）からマルチディスプレイ装置１００までの電波到達時間及びＧＰＳパラメータを用いて、マルチディスプレイ装置１００の位置を算出する。
【０１３８】
放送通信モジュール１１６は、制御部１３０の制御によって、放送通信アンテナ（図示せず）を通じて放送局から送出される放送信号（例えば、テレビ放送信号、ラジオ放送信号、又はデータ放送信号）及び放送付加情報（例えば、ＥＰＳ（Ｅｌｅｃｔｒｉｃ  Ｐｒｏｇｒａｍ  Ｇｕｉｄｅ）又はＥＳＧ（Ｅｌｅｃｔｒｉｃ  Ｓｅｒｖｉｃｅ  Ｇｕｉｄｅ））を受信する。
【０１３９】
マルチメディア部１２０は、オーディオ再生モジュール１２１及びビデオ再生モジュール１２２を含む。
【０１４０】
オーディオ再生モジュール１２１は、制御部１３０の制御によって、保存されるか又は受信したデジタルオーディオファイル（例えば、ファイル拡張子がｍｐ３、ｗｍａ、ｏｇｇ、又はｗａｖのファイル）を再生する。ビデオ再生モジュール１２２は、制御部１３０の制御によって、保存されるか又は受信したデジタル動画ファイル（例えば、ファイル拡張子がｍｐｅｇ、ｍｐｇ、ｍｐ４、ａｖｉ、ｍｏｖ、又はｍｋｖのファイル）を再生する。
【０１４１】
ビデオ再生モジュール１２２は、デジタルビデオファイルを再生することができるように、多様な形式のコーデックをサポートする。即ち、再生しようとするビデオファイルのコーデック形式に合うように予め保存されたコーデックによって、ビデオファイルを再生する。なお、マルチメディア部１２０のオーディオ再生モジュール１２１又はビデオ再生モジュール１２２は、制御部１３０に含まれてもよい。
【０１４２】
制御部１３０は、ＣＰＵ、マルチディスプレイ装置１００の制御のための制御プログラムが保存されたＲＯＭ、及びマルチディスプレイ装置１００の外部から入力される信号又はデータを記憶するか又はマルチディスプレイ装置１００で実行される作業のための記憶領域で使用されるＲＡＭを含む。ＣＰＵは、シングルコアプロセッサ、デュアルコアプロセッサ、トリプルコアプロセッサ、及びクワッドコアプロセッサのうちの少なくとも１つを含む。ＣＰＵ、ＲＯＭ、及びＲＡＭは、内部バス（ｂｕｓ）を介して接続される。
【０１４３】
制御部１３０は、通信部１１０、マルチメディア部１２０、撮像部１４０、センサ部１５０、入／出力部１６０、保存部１７０、電源部１８０、及び第１、２ディスプレイ部１９０ａ、１９０ｂを制御する。
【０１４４】
撮像部１４０は、第１カメラ１４１及び第２カメラ１４２のうちの少なくとも一方を含む。但し、図８では、第１カメラ１４１及び第２カメラ１４２のみを示しているが、実施形態に応じて、更なるカメラを含んでもよい。
【０１４５】
撮像部１４０は、制御部１３０の制御によって静止画像又は動画像を撮影する第１カメラ１４１及び第２カメラ１４２の少なくとも一方を含む。場合によって、更に複数個のカメラを含んでもよい。第１カメラ１４１及び第２カメラ１４２は、マルチディスプレイ装置１００のハウジングに備えられるか又は別途の接続手段を使用してマルチディスプレイ装置１００に接続される。第１カメラ１４１及び第２カメラ１４２のうちの少なくとも一方は、撮影に必要な光量を提供するサブ光源（例えば、フラッシュ（図示せず））を含んでもよい。
【０１４６】
一実施形態として、第１カメラ１４１は、マルチディスプレイ装置１００の前面に配置され、第２カメラ１４２は、マルチディスプレイ装置１００の背面に配置される。他の実施形態として、第１カメラ１４１及び第２カメラ１４２は、隣接して（例えば、第１カメラ１４１と第２カメラ１４２との間隔が１ｃｍより広く、８ｃｍより狭く）配置され、３次元静止画像又は３次元動画像を撮影する。更に他の実施形態として、第１カメラ１４１は第１パネル部に配置され、第２カメラ１４２は第２パネル部に配置され得る。
【０１４７】
撮像部１４０は、第１カメラ１４１及び第２カメラ１４２のうちの少なくとも一方を通じて撮像されたイメージを制御部１３０に伝達する。制御部１３０は、イメージを分析してユーザの動き或いは形状を検知し、検知された動き或いは形状に対応する制御動作を行う。一例として、ユーザの動きとは、第１或いは第２カメラを通じて検知されるユーザの手の動きを意味する。ユーザの形状とは、第１或いは第２カメラを通じて検知されるユーザの顔の形状を意味してもよい。
【０１４８】
更に他の実施形態として、マルチディスプレイ装置１００は、赤外線検知器のような他の手段を用いてユーザの動きを検知し、この動きに応答してアプリケーションを実行或いは制御することができる。
【０１４９】
センサ部１５０は、タッチセンサ１５１、地磁気センサ１５２、加速度センサ１５３、ヒンジセンサ１５４、及び近接センサ１５５を含む。
【０１５０】
タッチセンサ１５１は、ユーザのディスプレイ部に対するタッチを検知するセンサである。タッチセンサ１５１は、ユーザのタッチを検知する方式に応じて、静電方式と圧電方式とに分けることができる。一実施形態によるタッチセンサ１５１は、２種の方式でそれぞれ具現されてもよい。タッチセンサ１５１は、表示パネルと共にディスプレイ部を構成する。それに対する具体的な説明は、他の図を参照して以下で説明する。
【０１５１】
タッチセンサ１５１は、指先のような身体又は検知可能な入力手段で第１及び第２ディスプレイ部１９０ａ、１９０ｂを押圧し、ディスプレイ画面上に表示された指示を入力することができるセンサを意味する。タッチセンサ１５１は、容量変化、抵抗変化、又は光量変化を利用する。
【０１５２】
地磁気センサ１５２は、磁場を検出して方位角を探知する。これによって、マルチディスプレイ装置１００の方向を認識する。加速度センサ１５３は、出力信号を処理して物体の加速度、振動、衝撃等の動的力を測定するものとして、マルチディスプレイ装置１００の動く速度変化や力の強度を検知する。ヒンジセンサ１５４は、ヒンジの角度又は動き等を検出する。近接センサ１５５は、ユーザのマルチディスプレイ装置１００に対する物体の接近の有無を検出する。
【０１５３】
図８には示していないが、マルチディスプレイ装置１００のセンサ部１５０は、重力がどの方向に作用するかを検出する重力センサ、既存の加速度センサにそれぞれ回転を施して総６軸を認識するジャイロセンサ、イメージのようなコンテンツの横及び縦フレームを自動的に検知してコンテンツを自動回転及び整列させるオリエンテーションセンサ、マルチディスプレイ装置１００の周辺の光の量を検出する照度センサ、大気の圧力を測定する高度測定センサ、物体の色を検出するＲＧＢセンサ、超音波や赤外線を用いて距離を測定する距離測定センサ、磁場の強度に応じた電圧の変化を用いるホールセンサのうちの少なくとも１つを更に含んでもよい。
【０１５４】
センサ部１５０の各センサは、それぞれの状態を検出し、検出に対応する信号を生成して制御部１３０に伝送する。センサ部１５０のセンサは、マルチディスプレイ装置１００の性能や機能に応じて追加されるか又は削除される。
【０１５５】
入／出力部１６０は、ボタン部１６１、マイク１６２、スピーカ１６３、及び振動モータ１６４を含む。
【０１５６】
少なくとも１つのボタン部１６１は、マルチディスプレイ装置１００のハウジングの前面、側面、又は背面にプッシュ型或いはタッチ型で形成され、電源／ロックボタン、音量調節ボタン、メニューボタン、ホームボタン、「戻る」ボタン、及び検索ボタンのうちの少なくとも１つを含む。
【０１５７】
マイク１６２は、制御部１３０の制御によって、音声又はサウンドを受信して電気的な信号を生成する。
【０１５８】
スピーカ１６３は、制御部１３０の制御によって、セルラー通信モジュール１１１、無線ＬＡＮモジュール１１２、近距離通信モジュール１１３、マルチメディア部１２０、又は撮像部１４０の多様な信号（例えば、無線信号、放送信号、デジタルオーディオファイル、デジタル動画ファイル、又は写真撮影等）に対応する音声又はサウンドをマルチディスプレイ装置１００の外部に出力する。
【０１５９】
スピーカ１６３は、マルチディスプレイ装置１００が行う機能に対応する音声又はサウンド（例えば、電話通話に対応するボタン操作音又は通話接続音）を出力する。スピーカ１６３は、マルチディスプレイ装置１００のハウジングの適切な位置に１つ又は複数で形成される。一例として、スピーカ１６３は、通話中にユーザの耳に接近するのに適した位置に配置される内部スピーカモジュールと、オーディオ／ビデオファイルの再生や放送の視聴時に使用されるのに適したより高い出力を有してマルチディスプレイ装置１００のハウジングの適した位置に配置される外部スピーカモジュールを含む。
【０１６０】
振動モータ１６４は、制御部１３０の制御によって電気的信号を機械的な振動に変換する。例えば、振動モードにあるマルチディスプレイ装置１００は他の装置（図示せず）から音声通話を受信した場合に、振動モータ１６４が作動する。振動モータ１６４は、マルチディスプレイ装置１００のハウジング内に１つ又は複数で形成される。振動モータ１６４は、第１、第２ディスプレイ部１９０ａ、１９０ｂ上で検知されたユーザのタッチジェスチャ及び第１、第２ディスプレイ部１９０ａ、１９０ｂ上で検知されたタッチの連続した動きに応答して作動する。
【０１６１】
保存部１７０は、制御部１３０によって処理された各種マルチメディアデータ、コンテンツデータ、外部ソースから受信されたデータ等を保存する。
【０１６２】
具体的に、保存部１７０は、制御部１３０の制御によって、セルラー通信モジュール１１１、無線ＬＡＮモジュール１１２、近距離通信モジュール１１３、コネクタ１１４、ＧＰＳモジュール１１５、マルチメディア部１２０、撮像部１４０、センサ部１５０、入／出力部１６０、及び第１、２ディスプレイ部１９０ａ、１９０ｂの動作に対応するように入出力される信号、情報、又はデータを保存する。
【０１６３】
保存部１７０は、マルチディスプレイ装置１００又は制御部１３０の制御のための制御プログラム及びアプリケーションを保存する。以下、“保存部”という用語は、ＲＯＭ、ＲＡＭ、又はマルチディスプレイ装置１００に着脱自在のメモリカード（例えば、ＳＤカード、メモリスティック）を含む。なお、保存部は、不揮発性メモリ、揮発性メモリ、ハードディスクドライブ（ＨＤＤ）、又はソリッドステートドライブ（ＳＳＤ）を含んでもよい。
【０１６４】
電源部１８０は、マルチディスプレイ装置１００で使用される電源を供給する。電源部１８０は、充電可能なバッテリで具現され、外部供給電源を変換して充電可能なバッテリに供給する電圧変換器を更に含んでもよい。
【０１６５】
電源部１８０は、制御部１３０の電源管理制御によって、マルチディスプレイ装置１００に最大性能モード、通常モード、節電モード、待ち受けモード等、多様な動作モードで電源を供給する。
【０１６６】
第１、２ディスプレイ部１９０ａ、１９０ｂは、ヒンジ部（図示せず）によって相互に連結される。第１、２ディスプレイ部１９０ａ、１９０ｂは、制御部１３０の制御によってマルチメディアコンテンツ、イメージ、動画、テキスト等を表示する。
【０１６７】
第１ディスプレイ部１９０ａ及び第２ディスプレイ部１９０ｂは、物理的に互いに分離される。第１ディスプレイ部１９０ａ及び第２ディスプレイ部１９０ｂに表示されるディスプレイ画面は、互いに独立して制御される。例えば、第１ディスプレイ部１９０ａの解像度及び第２ディスプレイ部１９０ｂの解像度は、それぞれ個別的に設定される。なお、第１ディスプレイ部１９０ａ及び第２ディスプレイ部１９０ｂに表示される画面の拡大、回転、画面移動、画面分割等をそれぞれ個別に実行することができる。
【０１６８】
第１、２ディスプレイ部１９０ａ、１９０ｂは、制御部１３０によって実行可能な多様なアプリケーション（例えば、通話、データ伝送、放送、カメラ等）を表示し、それに適用するように構成されたユーザインターフェースを提供する。第１、２ディスプレイ部１９０ａ、１９０ｂは、タッチスクリーンで具現され、ユーザの身体（例えば、親指を含む指）又は検知可能な入力手段（例えば、スタイラスペン）を通じて少なくとも１つのタッチジェスチャを入力する。
【０１６９】
このようなユーザインターフェースは、所定のタッチ領域、ソフトキー及びソフトメニューを含む。第１、２ディスプレイ部１９０ａ、１９０ｂは、ユーザインターフェースを通じて入力される少なくとも１つのタッチジェスチャに対応する電子信号を、ＬＣＤコントローラ（図示せず）を通じて第１、２ディスプレイ部１９０ａ、１９０ｂに伝送する。なお、第１、２ディスプレイ部１９０ａ、１９０ｂは、タッチの連続した動きを検知し、タッチの連続的或いは非連続的な動きに対応する電子信号をＬＣＤコントローラに伝送する。
【０１７０】
このような第１、２ディスプレイ部１９０ａ、１９０ｂのタッチセンサは、例えば、抵抗膜方式、静電容量方式、赤外線方式、又は超音波方式で具現される。
【０１７１】
第１、２ディスプレイ部１９０ａ、１９０ｂは、タッチセンサを通じて検知されたユーザの動作に関する検知信号をデジタル信号（例えば、ＸとＹ座標）に変換して制御部１３０に伝送する。制御部１３０は、受信したデジタル信号を用いて、第１、２ディスプレイ部１９０ａ、１９０ｂを介して入力されたユーザの動作に対応する制御動作を行う。
【０１７２】
例えば、制御部１３０は、ユーザ動作に応答し、第１、２ディスプレイ部１９０ａ、１９０ｂに表示されたソフトキーを選択できるようにするか又はソフトキーに対応するアプリケーションを実行する。
【０１７３】
上述のユーザジェスチャは、第１、２ディスプレイ部１９０ａ、１９０ｂとユーザの身体又はタッチ可能な入力手段との直接の接触に限定されず、非接触による方式も含む。第１、２ディスプレイ部１９０ａ、１９０ｂから検出可能なユーザ動作の感度は、マルチディスプレイ装置１００の性能又は構造に応じて変更される。
【０１７４】
制御部１３０は、第１、２ディスプレイ部１９０ａ、１９０ｂに対する多様なタッチジェスチャに応じて、第１、２ディスプレイ部１９０ａ、１９０ｂに表示される画面を変更する。具体的に、ウェブブラウザプログラムを実行させ、ウェブページを表示する。以下、タッチジェスチャの多様な類型について説明する。
【０１７５】
＜タッチジェスチャタイプ＞
【０１７６】
本発明の実施形態において、タッチジェスチャは、ディスプレイ部に直接接触するか或いは近くに接近してマルチディスプレイ装置１００が検知可能な全種類のユーザジェスチャを含む。例えば、左手と右手との指先（特に、人差し指）、親指、又はタッチスクリーンによって検知可能なユーザオブジェクト（例えば、スタイラスペン）を用いてタッチスクリーン上で１つの位置或いは連続した複数の位置に接触するユーザの動作である。以下の表を参照してタッチジェスチャについて具体的に説明する。
【０１７７】
【表１】
2014078236.tif 000003
【０１７８】
表１は、１本の指を用いたジェスチャタイプの説明である。
【０１７９】
表１を参照すると、１本の指を用いたジェスチャタイプには、タップ（Ｔａｐ）、タッチ＆ホールド（Ｔｏｕｃｈ＆Ｈｏｌｄ）、ダブルタップ（Ｄｏｕｂｌｅ  Ｔａｐ）、ドラッグ（Ｄｒａｇ）、ドラッグ＆ドロップ（Ｄｒａｇ＆Ｄｒｏｐ）、及びフリック（Ｆｌｉｃｋ）等がある。タップ（Ｔａｐ）とは、ユーザがタッチスクリーンを軽く押してから離す動作を意味し、タッチ＆ホールド（Ｔｏｕｃｈ＆Ｈｏｌｄ）とは、ユーザが長時間タッチを行う動作であり、ダブルタップ（Ｄｏｕｂｌｅ  Ｔａｐ）とは、ユーザが素早く２回タップする動作を意味する。そして、ドラッグ（Ｄｒａｇ）とは、一方向に引く動作であり、ドラッグ＆ドロップ（Ｄｒａｇ＆Ｄｒｏｐ）とは、タッチスクリーン上の任意のオブジェクトを押した後、一方向から別の方向に引っ張るような動作であり、フリック（Ｆｌｉｃｋ）とは、素早くドラッグする動作である。
【０１８０】
【表２】
2014078236.tif 000004
【０１８１】
表２は、２本の指を用いたジェスチャタイプの説明である。
【０１８２】
表２を参照すると、２本の指を用いたジェスチャタイプには、ツーフィンガータップ（Ｔｗｏ  ｆｉｎｇｅｒ  Ｔａｐ）、タッチ＆スプレッド（Ｔｏｕｃｈ＆Ｓｐｒｅａｄ）、ピンチアウト（Ｐｉｎｃｈ  Ｏｕｔ）、ピンチイン（Ｐｉｎｃｈ  Ｉｎ）、ツーフィンガードラッグ（Ｔｗｏ  ｆｉｎｇｅｒ  Ｄｒａｇ）、クロスツーフィンガー（Ｃｒｏｓｓ  Ｔｗｏ  Ｆｉｎｇｅｒ）、及びタッチ＆ローテート（Ｔｏｕｃｈ＆Ｒｏｔａｔｅ）等がある。ツーフィンガータップとは、２本の指で同時にタップする動作であり、タッチ＆スプレッドとは、２本の指で同時にタッチスクリーンを押圧し、片方の指は動かさずに、もう片方のみを直線で動かす動作である。ピンチアウトとは、同時に２本の指でタッチスクリーンを押した後、相互に反対方向にドラッグする動作であり、ピンチインとは、同時に２本の指でタッチスクリーンを押した後、相互に向き合う方向にドラッグする動作である。ツーフィンガードラッグとは、２本の指で同一の方向にドラッグする動作であり、クロスツーフィンガーとは、相互に向き合う方向に同時にドラッグし、クロスして離れる動作である。最後に、タッチ＆ローテートとは、片方の指は動かさずに、他方のみが固定された１本の指を中心に回転する動作を意味する。
【０１８３】
【表３】
2014078236.tif 000005
【０１８４】
表３は、２本以上の指を用いたジェスチャ及び手のひらを用いたジェスチャタイプの説明である。
【０１８５】
表３を参照すると、２本以上の指を用いたジェスチャタイプには、スリーフィンガータッチ、フォーフィンガータッチ、ファイブフィンガータッチ等がある。なお、２本以上の指を用いて上述の表１、表２のように、タップ、ドラッグ、ローテートのようなジェスチャ動作を行うことができる。
【０１８６】
制御部１３０は、上述のような多様なタッチジェスチャが認識されると、そのタッチジェスチャに対応する動作を行う。例えば、制御部１３０は、保存部１７０に保存されたアプリケーション、ウィジェット（ｗｉｄｇｅｔ）、ウェブブラウザ等を実行させて、その実行画面を第１及び第２ディスプレイ部１９０ａ、１９０ｂのうちの少なくとも一方に表示する。
【０１８７】
一方、上述のような実施形態において、マルチディスプレイ装置１００のボディがヒンジ部によって連結されるものとして図示及び説明しているが、ヒンジ部の代わりに、フレキシブルな材質の連結部で連結されてもよい。
【０１８８】
図９は、本発明の一実施形態によるマルチディスプレイ装置のシステム階層構造の一例を示す図である。マルチディスプレイ装置は、ハードウェア４１０だけでなく、ＯＳ４２０、フレームワーク４３０、通話アプリケーション４４１、マルチメディアアプリケーション４４２、カメラアプリケーション４４３、ブラウザ４４４、及びジェスチャ認識アプリケーション４４５のような多様なソフトウェアを含む。
【０１８９】
ハードウェア４１０は、図８に示すような多様な構成を含む。
【０１９０】
オペレーティングシステム（ＯＳ）４２０は、ハードウェア４１０の動作全般を制御し、ハードウェア４１０を管理する機能を実行する。即ち、ＯＳ４２０は、ハードウェア管理とメモリ、セキュリティ等の基本的な機能を担当する階層である。ＯＳ４２０は、マルチディスプレイ部を駆動させるためのディスプレイドライバ、データ送受信のための通信ドライバ、撮像部を駆動させるためのカメラドライバ、オーディオ部を駆動させるためのオーディオドライバ、電源管理等のモジュールを駆動させてマルチディスプレイ装置の動作を制御する。ＯＳ４２０より上位階層にフレームワーク（Ｆｒａｍｅ  ｗｏｒｋ）階層４３０が存在する。フレームワーク４３０は、アプリケーション階層４４０とＯＳ階層４２０とを接続する役割を担う。即ち、フレームワーク階層４３０は、ロケーションマネージャ（ｌｏｃａｔｉｏｎ  ｍａｎａｇｅｒ）、報知マネージャ（ｎｏｔｉｆｉｃａｔｉｏｎ  ｍａｎａｇｅｒ）、及びディスプレイ部に映像を表示するためのフレームバッファ（ｆｒａｍｅ  ｂｕｆｆｅｒ）を含む。
【０１９１】
フレームワーク階層４３０の上部階層には、マルチディスプレイ装置１００の多様な機能を具現するアプリケーション階層４４０が存在する。例えば、通話アプリケーション４４１、マルチメディアアプリケーション４４２、カメラアプリケーション４４３、ブラウザアプリケーション４４４、及びジェスチャ認識アプリケーション４４５等、多様な応用プログラムが含まれる。
【０１９２】
以下、本発明の一実施形態によるマルチディスプレイ装置１００の外形について、図を参照して説明する。
【０１９３】
図１０は、本発明の一実施形態によるマルチディスプレイ装置１００の細部斜視図である。ここでは、マルチディスプレイ装置１００がヒンジ部１８５で結合された２つのディスプレイ部（１９０ａ、１９０ｂ）を備える場合の構成を示す。
【０１９４】
図１０を参照すると、マルチディスプレイ装置１００は、第１及び第２ボディ（ｂｏｄｙ）２、４で構成され、第１及び第２ボディ２、４は、ヒンジ部１８５によって接続されて相対的に移動できるように構成される。第１ボディ２の一面には第１ディスプレイ部１９０ａが備えられ、第１ディスプレイ部１９０ａの一側面には少なくとも１つの物理的なボタン部１６１（図８参照）が配置される。第２ボディ４の一面には、第２ディスプレイ部１９０ｂが備えられ、第２ディスプレイ部１９０ｂの一側面には少なくとも１つの物理的なボタン部１６１’が配置される。物理的なボタン部１６１、１６１’は、プッシュボタン及びタッチボタンの少なくとも一方を含む。一実施形態として、スピーカ１６３及びマイク１６２（図８参照）を備えた第１ボディ２に配置された第１ディスプレイ部１９０ａはメインスクリーンとして作動し、そうではない第２ボディ４に配置された第２ディスプレイ部１９０ｂはサブスクリーンとして作動する。一実施形態として、第１ボディ２は第１カメラ１４１を備え、第２ボディ４は第２カメラ１４２を備える。
【０１９５】
図１０に示すように、マルチディスプレイ装置１００が置かれた状態で、それぞれのディスプレイ部（１９０ａ、１９０ｂ）はランドスケープモード（「横向きに見る」モード）で画面を表示する。
【０１９６】
マルチディスプレイ装置１００は、第１ボディ２及び第２ボディ４がヒンジ部１８５によって接続され、相対移動できるように構成されるものであれば、携帯電話やノートパソコン、タブレットパソコン、ＰＭＰ等のような機器であってもよい。第１ディスプレイ部１９０ａ及び第２ディスプレイ部１９０ｂが、第１ボディ２及び第２ボディ４にそれぞれ備えられるものとして説明しているが、後述の説明は、２つのディスプレイ部のうちの何れかの表示パネルのみにタッチスクリーンディスプレイが提供される機器にも適用可能である。なお、各ディスプレイ部（１９０ａ、１９０ｂ）の側面のボタン部１６１のうちの少なくとも一方は省略されてもよい。更に、第１ボディ２と第２ボディ４との接続はヒンジ部１８５によるものを例に挙げて示しているが、第１ボディ２及び第２ボディ４が相対的な移動を通じて折り畳まれることができるように構成されていれば、他の構成要素による接続でも代替可能である。
【０１９７】
一方、ヒンジ部１８５は、図１０に示すように、第１ボディ２及び第２ボディ４の接続部の両側に配置された２つのヒンジで構成される。なお、ヒンジ部１８５は、第１ボディ２及び第２ボディ４の接続部全体に配置された１つのヒンジで構成されてもよい。
【０１９８】
マルチディスプレイ装置１００は、物理的或いはグラフィック的に分離される第１ディスプレイ部１９０ａ及び第２ディスプレイ部１９０ｂで構成されたディスプレイ装置を備え、２つのディスプレイ部（１９０ａ、１９０ｂ）を活用して下記の図１１〜図１５のような多様なスクリーンモードをサポートする。
【０１９９】
図１１〜図１５は、本発明の一実施形態によるマルチディスプレイ装置１００の第１ボディ２と第２ボディ４との間の相対角度に応じた多様なスクリーンモードを示す図である。
【０２００】
相対角度（θ）は、第１ボディ２に対して所定方向（一例として、反時計回り方向）に回転した第２ボディ４との間の回転角度である。
【０２０１】
具体的に、相対角度（θ）は、ヒンジ部１８５そのものに内蔵されたヒンジセンサを用いて検出することができる。ヒンジセンサは、ホールセンサ、圧力センサ、誘導検出センサ、電気コンタクトセンサ、及び光学センサのうちの何れか１つで構成され、ヒンジの動き及び相対的な位置を検出して相対角度（θ）を認識する。
【０２０２】
なお、相対角度（θ）は、ヒンジセンサ以外にも、地磁気センサ、加速度センサで第１及び第２ボディ２、４のそれぞれの位置を検出して相対角度（θ）を認識することもできる。
【０２０３】
図１１は、マルチディスプレイ装置１００が折り畳まれた状態を示す斜視図である。図１１に示すように、第１ボディ２及び第２ボディ４上の第１及び第２ディスプレイ部１９０ａ、１９０ｂがそれぞれ対向している状態であり、第１ボディ２と第２ボディ４とが互いに接している。即ち、第１ディスプレイ部１９０ａの反対側に第２ディスプレイ部１９０ｂが位置する。ユーザが第１ディスプレイ部１９０ａを見る場合、第２ディスプレイ部１９０ｂは反対側に位置するため、ユーザは第２ディスプレイ部１９０ｂを直接見ることができない。このように、ユーザは１つのディスプレイ部のみを見ることができる。
【０２０４】
このとき、相対角度（θ）は０度と定義する。図１１に示すように、折り畳まれた状態をシングルモードと称する。一例として、第１及び第２ボディ２、４の間の相対角度が０度〜６０度の間である場合、マルチディスプレイ装置１００はシングルモードとして認知する。シングルモードは、マルチディスプレイ装置１００が使用されていないロック状態である場合及び通話アプリケーションで有効に使用される。シングルモードでは、前面の第１ディスプレイ部１９０ａが少なくとも１つのアプリケーションによる作業画面を表示し、背面の第２ディスプレイ部１９０ｂは、ターンオフされる。一部のアプリケーションは、オプションメニューを使用して背面の第２ディスプレイ部１９０ｂをターンオンする。シングルモードの場合には、ユーザが１つのディスプレイ画面のみを見るため、制御部１３０は、１つのディスプレイ部のみを制御する。即ち、制御部１３０は、ユーザが現在眺めているディスプレイ部に対してのみ制御信号を伝送する。制御部１３０によって制御されていないディスプレイ部に対しては、別途の制御信号及びデータ信号を伝送しないことで、電力消費を軽減する。
【０２０５】
このとき、制御信号及びデータ信号が供給されていないディスプレイ部はスリープモードで作動し、制御部１３０によって制御信号が印加されるとスリープモードから脱する。例えば、ユーザがマルチディスプレイ装置１００の方向を回転してスリープモード中のディスプレイ部を眺める場合には、スリープモードから脱する。
【０２０６】
図１２は、第１ボディ２及び第２ボディ４が並んで平行した状態であり、相対角度（θ）が１８０度或いは所定範囲内で１８０度に接近した状態、即ち広げた（ｕｎｆｏｌｄｅｄ）状態を示す。以下、それをエクスペンディングモードと称する。一例として、第１及び第２ボディ２、４の間の相対角度が１７５度〜１８５度の範囲にある場合、マルチディスプレイ装置１００は第１及び第２ボディ２、４が広げられていると見なす。エクスペンディングモードは、２つのアプリケーションに対する２つの作業画面をそれぞれディスプレイ部１９０ａ、１９０ｂに表示したり、１つのアプリケーションに対する１つの画面を２つのディスプレイ部１９０ａ、１９０ｂに表示したり、或いは１つのアプリケーションに対する２つの作業画面を２つのディスプレイ部１９０ａ、１９０ｂに表示したりする。何れか一方のディスプレイ部に何のアプリケーションも表示されなくてよいが、デフォルトされたホーム画面を表示することができる。エクスペンディングモードは、Ｅ−ｂｏｏｋ、動画プレーヤアプリケーション、ウェブブラウジング画面で有効に使用される。
【０２０７】
制御部１３０は、第１ディスプレイ部１９０ａに第１ウェブブラウジング画面を表示し、第２ディスプレイ部１９０ｂに第２ウェブブラウジング画面を表示する。このとき、第１ウェブブラウジング画面及び第２ウェブブラウジング画面は、相互に関連性があり、第２ウェブブラウジング画面に関連する第３ウェブブラウジング画面を第１ディスプレイ部１９０ａに表示し、第３ウェブブラウジング画面に関連する第４ウェブブラウジング画面を第２ディスプレイ部１９０ｂに表示することができる。
【０２０８】
制御部１３０は、第１ディスプレイ部１９０ａ及び第２ディスプレイ部１９０ｂに表示されるウェブブラウジング画面を交互に表示することができ、それぞれのディスプレイ部（１９０ａ、１９０ｂ）に表示された複数のウェブブラウジング間の画面切り替えを行うことができ、第１ディスプレイ部１９０ａに表示されるウェブブラウジングと第２ディスプレイ部１９０ｂに表示されるウェブブラウジングとを異なるレイアウトで表示することができる。
【０２０９】
図１３は、第１ボディ２に対する第２ボディ４の相対角度（θ）が１８０度を超過する状態、即ち両ディスプレイ部（１９０ａ、１９０ｂ）が内側に若干折り畳まれた状態を示し、ツールキットモード（Ｔｏｏｌ  Ｋｉｔ  Ｍｏｄｅ）と称する。一例として、第１及び第２ボディ２、４の間の相対角度が１８５度〜２６５度の間の場合に、ツールキットモードと認知する。ツールキットモードは、両ディスプレイ部（１９０ａ、１９０ｂ）が内側を向くように若干折り畳まれた状態でマルチディスプレイ装置１００がノートパソコンに類似する形態で使用される場合に有効である。一例として、何れか１つのディスプレイ部１９０ａに作業画面を表示し、他の１つのディスプレイ部１９０ｂにキーボード等のツールを表示する等、多様な作業環境を提供することができる。
【０２１０】
図１４は、第１ボディ２に対する第２ボディ４の相対角度（θ）が１８０度未満である状態、即ち両ディスプレイ部（１９０ａ、１９０ｂ）が相互に略反対方向に向くように外側に略折り畳まれた状態を示し、本明細書では、このような状態をスタンディングモード（Ｓｔａｎｄｉｎｇ  Ｍｏｄｅ）と称する。一例として、第１及び第２ボディ２、４の間の相対角度が３０度〜９０度の間の場合に、マルチディスプレイ装置１００はスタンディングモードと認識する。スタンディングモードは、両ディスプレイ部（１９０ａ、１９０ｂ）が外側を向くように折り畳まれた形態として、マルチディスプレイ装置１００を床に三角形状で立てることができるため、充電時、マルチディスプレイ装置１００をデジタル時計或いは写真立てとして使用する場合、個人放送、映画、動画等を長時間使用する場合に有効に使用することができる。他の実施形態として、スタンディングモードは、２名以上のユーザによる協力或いは相互作用を必要とするアプリケーション、一例としてテレビ会議、協業ゲーム（Ｃｏｌｌａｂｏｒａｔｉｖｅ  Ｇａｍｅ）等に適用される。一部のアプリケーションは、スタンディングモードで前面の第１ディスプレイ部１９０ａにのみ作業画面を表示し、背面の第２ディスプレイ部１９０ｂをターンオフする。一部のアプリケーションは、オプションメニューを使用して背面の第２ディスプレイ部１９０ｂをターンオンする。
【０２１１】
図１５は、図１４で説明したスタンディングモードの他の実施形態として、ヒンジの一部分が床に触れるようにマルチディスプレイ装置１００を立てた状態を示す。本明細書では、このような状態をポートレートモード（「縦向きに見る」モード）と称する。「縦向きに見る」モードは、第１及び第２ボディ２、４の間の相対角度が３０度〜９０度の間であり、加速度センサによってマルチディスプレイ装置１００が縦に立てられていると判断された場合、「縦向きに見る」モードと認知する。
【０２１２】
具体的に、加速度センサは、マルチディスプレイ装置１００の回転を検知する。加速度センサは、マルチディスプレイ装置１００の第１及び第２ディスプレイ部１９０ａ、１９０ｂが左右側に配置される「縦向きに見る」モードと、第１及び第２ディスプレイ部１９０ａ、１９０ｂが上下側に配置される「横向きに見る」モードとの間の切り替えを検知する。
【０２１３】
「縦向きに見る」モードは、２名以上のユーザのそれぞれ異なる映像を提供する必要があるアプリケーション、一例として、テレビ会議、マルチ動画アプリケーション等に適用される。
【０２１４】
図１６は、近接タッチを検知する方法の一例を説明するための図である。
【０２１５】
ユーザは、近接センサを用いた近接タッチ方式でマルチディスプレイ装置１００に制御命令を入力させることができる。近接タッチは、タッチスクリーンを直接タッチせずに、空間上の一定の有効認識範囲から動きが認識された場合、１つのタッチジェスチャとして認識することを意味する。
【０２１６】
図１６を参照すると、第１及び第２ディスプレイ部１９０ａ、１９０ｂは、それぞれ表示パネル２９０、近接タッチ認識のための赤外線ソース部２９１、及び赤外線センシング部２９２を含む。赤外線ソース部２９１は、ディスプレイ部２９０の表面方向に赤外線を照射する。具体的に、赤外線ソース部２９１は、映像又はイメージを表示するディスプレイ部２９０の下部に配置され、赤外線をディスプレイ部２９０の表面方向に照射する。ディスプレイ部２９０の表面上にユーザオブジェクト５０の接近を認識することができる一定の領域が存在する。この領域が、近接タッチを認識することができる有効認識領域５である。
【０２１７】
ユーザオブジェクトとは、マルチディスプレイ装置１００に命令を入力するための手段を意味するものとして、例えば、手のような身体の一部や入力ペン等であってもよい。
【０２１８】
ユーザオブジェクト５０が有効認識領域５内に接近すると、赤外線センシング部２９２はユーザオブジェクト５０の接近によって反射された赤外線を検知し、赤外線スキャンイメージを生成する。具体的に、赤外線センシング部２９２は、アレイ形態で配置される複数の赤外線センシング素子を用いて、ユーザオブジェクト５０の接近によって反射された赤外線に対応する赤外線スキャンイメージを生成する。マルチディスプレイ装置１００は、生成された赤外線スキャンイメージを用いて近接タッチ入力を検知する。
【０２１９】
図１７及び図１８は、本発明の一実施形態によるマルチディスプレイ装置の２つのカメラ配置の例を示す図である。図１７及び図１８は、マルチディスプレイ装置１００を正面から眺めた様子である。カメラの配置を説明するための図であるため、カメラ以外の他の部分は省略する。
【０２２０】
先ず、図１７を参照すると、マルチディスプレイ装置１００は、第１ボディ２及び第２ボディ４で構成され、第１ボディ２は第１ディスプレイ部１９０ａを含み、第２ボディ４は第２ディスプレイ部１９０ｂを含む。第１ボディ２及び第２ボディ４は、ヒンジ部１８５によって連結され、相対的に移動するように構成される。第１カメラ１４１は、第１ボディ２の周縁領域中、ヒンジ部１８５の反対側の周縁領域の中央部に配置される。第２カメラ１４２は、第２ボディ４の周縁領域中、ヒンジの反対側の周縁領域の中央部に配置される。
【０２２１】
次に、図１８を参照して、カメラの配置について説明する。説明の便宜上、ユーザがマルチディスプレイ装置１００を眺める方向を基準として説明する。第１カメラ１４１’は、第１ボディ２の左側の周縁領域の中央面に配置され、第２カメラ１４２’は、第２ボディ４の左側の周縁領域の中央面に配置される。他の実施形態としては、第１及び第２カメラは、それぞれ第１及び第２ボディ２、４の右側の周縁領域の中央面に配置される。更に他の実施形態として、第１及び第２カメラは、それぞれ第１及び第２ボディ２、４の角領域に配置される。マルチディスプレイ装置１００は、図１９に示すように、横方向に使用可能であるだけでなく、縦方向でも使用可能である。
【０２２２】
以下では、多様な実施形態によって、第１ディスプレイ部１９０ａと第２ディスプレイ部１９０ｂとにウェブブラウザが実行され、ウェブブラウジング画面を表示することを中心に説明を進める。
【０２２３】
本発明で説明するウェブブラウザ（Ｗｅｂ  ｂｒｏｗｓｅｒ）は、ウェブサーバで双方向通信するＨＴＭＬ文書やファイルと連動して出力する応用ソフトウェアを意味する。ウェブブラウザは、代表的なＨＴＴＰユーザエージェントの１つである。本発明では、モバイル装置で使用可能な全てのウェブブラウザを適用することができ、説明の便宜上、以下の実施形態では、一部のウェブブラウザに限られた説明をするが、それはこのようなウェブブラウザにのみ適用されるものとして発明の範囲を限定するものではない。
【０２２４】
＜本発明の多様な実施形態によるウェブブラウジング画面の構成＞
【０２２５】
以下、マルチディスプレイ装置でウェブブラウジング画面を表示する多様な実施形態について説明する。
【０２２６】
先ず、図１９〜図２３は、マルチディスプレイ装置でウェブブラウザを実行させ、ウェブブラウジング画面を表示する初期動作に対する多様な例を示す。
【０２２７】
図１９は、本発明の一実施形態によるマルチディスプレイ装置に複数のアイコンが表示されている画面の一例を示す図である。
【０２２８】
上述のように、マルチディスプレイ装置１００は、２つ以上の複数のディスプレイ部を備えることができるが、説明の便宜上、図１９に示す第１ディスプレイ部１９０ａ及び第２ディスプレイ部１９０ｂのように、２つのディスプレイ部を備えたマルチディスプレイ装置１００を基に説明する。
【０２２９】
第１ディスプレイ部１９０ａと第２ディスプレイ部１９０ｂとは、ヒンジ部１８５によって互いに連結される。以下で、マルチディスプレイ部１００は、ヒンジ部１８５が第１ディスプレイ部１９０ａ及び第２ディスプレイ部１９０ｂの上側と下側とで相互に連結するものとして示されている。しかし、第１ディスプレイ部１９０ａの一面と第２ディスプレイ部１９０ｂの一面とを相互に連結するものとして構成してもよい。ヒンジ部１８５の構造及び位置は多様に変形される。第１ディスプレイ部１９０ａと第２ディスプレイ部１９０ｂとは、物理的に分離された表示パネルを意味する。第１ディスプレイ部１９０ａを含む第１ボディには第１カメラ１４１が配置され、第２ディスプレイ部１９０ｂを含む第２ボディには第２カメラ１４２が配置される。
【０２３０】
マルチディスプレイ装置１００が、ターンオンされて初期化が行われると、制御部１３０は、第１及び第２ディスプレイ部１９０ａ、１９０ｂにホーム画面を表示する。図１９に示すように、ホーム画面には、マルチディスプレイ装置１００がサポートする各種機能及びマルチディスプレイ装置１００にインストールされたアプリケーションに対するアイコン１９０１〜１９１８が表示される。制御部１３０は、ホーム画面で選択されたアイコンに対応する機能を行うか又はアプリケーションを実行させる。
【０２３１】
ホーム画面は、第１及び第２ディスプレイ部１９０ａ、１９０ｂに分けて表示される。このようなホーム画面は、上述のフレームバッファ上にＢＭＰ形式で保存され、第１及び第２ディスプレイ部１９０ａ、１９０ｂに統合的に表示される。それにより、アイコン１９０１〜１９１８も適した数だけ第１及び第２ディスプレイ部１９０ａ、１９０ｂに分散されて表示される。
【０２３２】
図１９で、ホーム画面が第１及び第２ディスプレイ部１９０ａ、１９０ｂに区分されて表示される形態で示しているが、他の例として、ホーム画面は一方のディスプレイ部に表示され、他方のディスプレイ部には特定機能の実行画面が表示されてもよい。
【０２３３】
第１及び第２ディスプレイ部１９０ａ及び１９０ｂに、ホーム画面が表示された状態で、第２ディスプレイ部１９０ｂに新たなアプリケーションが実行される画面が表示された場合、第２ディスプレイ部１９０ｂに表示されたホーム画面上に新たなアプリケーションの実行画面がオーバーレイされて表示される。即ち、ホーム画面が表示されるレイヤ（ｌａｙｅｒ）とアプリケーションとが表示されるレイヤは互いに異なり、ホーム画面を表示するレイヤはアプリケーションを表示するレイヤより下位レイヤであるため、アプリケーションが実行されると、実行画面はホーム画面上にオーバーレイされて表示される。
【０２３４】
図２０は、本発明の一実施形態によるマルチディスプレイ装置にウェブブラウジングを実行する一例を示す図であり、ホーム画面構成の更に他の例を示す図である。図２０を参照すると、マルチディスプレイ装置１００がターンオンされて、第１ディスプレイ部１９０ａにアイコン表示画面が表示され、第２ディスプレイ部１９０ｂに予め保存されたユーザ設定状態に対応する画面が表示される。例えば、特定アプリケーションやウィジェット等をユーザが設定しておいた状態の場合、そのアプリケーションやウィジェット実行画面が第２ディスプレイ部１９０ｂに表示される。
【０２３５】
図２０で、時刻、日付、曜日、緊急通話ボタン、バッテリ残量、通信受信状態情報等を含む実行画面も、アイコン表示画面と共にホーム画面の一部に提供された状態を示しているが、その他にも、所定画面、天気画面、検索ツール等のような多様なウィジェット画面がホーム画面の一部に表示される。
【０２３６】
一方、ホーム画面には、メニューアイコン１９１−１、１９１−２、１９１−３、１９１−４が同時に表示される。メニューアイコン１９１−１、１９１−２、１９１−３、１９１−４は、ホーム画面のページ切り替えが行われても消えずに表示されるアイコンを意味する。
【０２３７】
図２０で、ウェブブラウザアイコン（１９１−１）がメニューアイコンとして提供される画面の構成例を示しているが、ウェブブラウザアイコン（１９１−１）は、図１９と同様のアイコン表示画面内に表示されてもよい。なお、メニューアイコン１９１−１、１９１−２、１９１−３、１９１−４は、画面に表示されていない隠されたアイコン（図示せず）を更に含んでもよい。
【０２３８】
本発明の一実施形態として、ユーザがマルチディスプレイ装置１００を用いてウェブブラウジングを実行する過程を説明すると、次のようになる。
【０２３９】
ユーザが、ウェブブラウザアイコン（１９１−１）をタッチすると、ウェブブラウザが実行される。ウェブブラウザを実行する方式は、当該アイコンをタッチする方式以外にも、特定ボタンを押してウェブブラウザを実行する方式も可能である。或いは、モーションジェスチャや音声コメント等を用いてウェブブラウザアイコンを選択する実施形態も具現され得る。
【０２４０】
ウェブブラウザが実行されると、上述の多様な実施形態に応じて、ウェブブラウジング画面が生成されて表示される。初期に生成されるウェブブラウジング画面の数は実施形態に応じて異なる。
【０２４１】
この場合、一実施形態によると、１つの第１ウェブブラウジング画面が先に表示され、その後に、第１ウェブブラウジング画面に対するユーザのタッチに応じて、第２ウェブブラウジング画面が表示される。従って、初期には、１つのウェブブラウジング画面のみが表示される。初期表示されるウェブブラウジング画面は、マルチディスプレイ画面の何れか一方に表示されるか又はマルチディスプレイ画面全体に表示される。
【０２４２】
図２１は、マルチディスプレイ装置の第１、２ディスプレイ部に全サイズでウェブブラウジング画面を表示する一例を示す図であり、１つの第１ウェブブラウジング画面が第１及び第２ディスプレイ部１９０ａ、１９０ｂ全体に表示される状態を示す。図２１を参照すると、１つの第１ウェブブラウジング画面が両領域（１９０−１、１９０−２）に区分され、そのうちの第１領域１９０−１は第１ディスプレイ部１９０ａに表示され、第２領域１９０−２は第２ディスプレイ部１９０ｂに表示される。
【０２４３】
図２１のように、両ディスプレイ部１９０ａ、１９０ｂを用いて１つの第１ウェブブラウジング画面を表示するため、マルチディスプレイ装置１００は、図３に示すように、２つの個別フレームバッファ１３４ａ−１、１３４ｂ−１を含むことができる。
【０２４４】
或いは、マルチディスプレイ装置１００は、図４に示すように、１つの統合フレームバッファ１３４−１を含んでもよい。この場合、制御部１３０は、統合フレームバッファを用いて第１及び第２ディスプレイ部１９０ａ、１９０ｂ上に１つのウェブブラウジング画面を表示する。即ち、制御部１３０は、１つのウェブブラウジングイメージを統合フレームバッファに保存し、統合フレームバッファ内で第１ディスプレイ部１９０ａから出力される部分のイメージフレームのアドレスと、第２ディスプレイ部１９０ｂから出力される部分のイメージフレームのアドレスとを参照してそれぞれのディスプレイコントローラに供給する。各ディスプレイコントローラは、提供されたアドレスに応じてイメージフレームデータを出力することで、結果的に１つのウェブブラウジング画面が第１及び第２ディスプレイ部１９０ａ、１９０ｂを通じて表示される。
【０２４５】
即ち、統合フレームバッファに保存された全ウェブブラウジング画面のイメージフレームは、第１ディスプレイ部１９０ａ及び第２ディスプレイ部１９０ｂの全解像度の大きさで割り当てられる。制御部１３０によって、第１領域１９０−１に該当するイメージフレームは第１ディスプレイ画面に出力され、第２領域１９０−２に該当するイメージフレームは第２ディスプレイ画面に出力される。統合フレームバッファを用いる方式の場合には、ディスプレイコントローラが統合フレームバッファに保存されたイメージフレームのアドレスを参照し、統合イメージフレームを当該ディスプレイ部に提供する方式である。一方、個別フレームバッファを用いる方式の場合には、各ディスプレイ部１９０ａ、１９０ｂを制御するディスプレイコントローラによって各ディスプレイ部に表示されるイメージフレームをそれぞれ提供方式である。
【０２４６】
或いは、個別フレームバッファを用いる方式であっても、各ディスプレイ部をまとめて管理するディスプレイドライバを備えることができる。このとき、１つのディスプレイドライバを利用する場合に、１つのディスプレイドライバは、個別フレームバッファにイメージフレームを複数のディスプレイ部のうちの何れのディスプレイに提供するかを判断して提供するブリッジ（ｂｒｉｄｇｅ）機能を実行する。
【０２４７】
図２１に示すように、両ディスプレイ部（１９０ａ、１９０ｂ）に、第１ウェブブラウジング画面が表示されている状態で、第１ウェブブラウジング画面内のオブジェクトに対するユーザタッチが行われると、第１ウェブブラウジング画面の大きさが縮小されて両ディスプレイ部（１９０ａ、１９０ｂ）の何れか一方のみに表示され、ユーザがタッチしたオブジェクトにリンクされた第２ウェブブラウジング画面は、両ディスプレイ部（１９０ａ、１９０ｂ）の他方に表示される。
【０２４８】
図２１では、両ディスプレイ部（１９０ａ、１９０ｂ）を全て用いて一方の第１ウェブブラウジング画面を表示する状態を示しているが、第１ウェブブラウジング画面は、両ディスプレイ部（１９０ａ、１９０ｂ）の何れか一方のみに表示されてもよい。この場合、第１ウェブブラウジング画面がどちらのディスプレイ部に表示されるかは、予め設定されたデフォルト情報や、マルチディスプレイ装置の現在の動作状態等に応じて決定される。
【０２４９】
図２２は、マルチディスプレイ装置の第１、２ディスプレイ部にウェブブラウジング画面及び他のアプリケーション実行画面がそれぞれ表示される一例を示す図であり、マルチディスプレイ装置の動作状態に応じて、第１ウェブブラウジング画面の表示位置が決定されることを説明するための図である。
【０２５０】
図２２を参照すると、第２ディスプレイ部１９０ｂに音楽コンテンツ再生画面（１９０−２）が表示されている状態で、第１ディスプレイ部１９０ａにユーザジェスチャを行ってウェブブラウザが実行されると、第１ウェブブラウジング画面（１９０−１）は、コンテンツ再生画面（１９０−２）が表示されていない第１ディスプレイ部１９０ａに表示される。このように、第１ウェブブラウジング画面（１９０−１）の初期表示位置は、第１及び第２ディスプレイ部１９０ａ、１９０ｂで表示されるアプリケーションの種類に応じて異なる。
【０２５１】
或いは、第１及び第２ディスプレイ部１９０ａ、１９０ｂの何れか一方をメインに指定したデフォルト情報が保存されている場合、マルチディスプレイ装置１００は、そのデフォルト情報に応じて第１ウェブブラウジング画面を表示するディスプレイ部を決定する。
【０２５２】
図２３は、マルチディスプレイ装置の第１、２ディスプレイ部にホーム画面とウェブブラウジング画面とがそれぞれ表示される一例を示す図であり、第２ディスプレイ部１９０ｂがメインに設定された場合を示す。この場合、第１ウェブブラウジング画面は、第２ディスプレイ部１９０ｂに表示される。
【０２５３】
或いは、第１ウェブブラウジング画面の表示位置はウェブブラウザアイコン（１９１−１）の位置を基に決定されてもよい。例えば、図２３に示すように、ウェブブラウザアイコン（１９１−１）が第１ディスプレイ部１９０ａに表示されている場合、第１ウェブブラウジング画面は、ウェブブラウザアイコン（１９１−１）が表示された第１ディスプレイ部１９０ａの反対側の第２ディスプレイ部１９０ｂに自動的に表示されてもよい。
【０２５４】
このように、第１ウェブブラウジング画面の大きさ及び表示位置は、多様な方式で設定される。第１ウェブブラウジング画面が表示された状態で、ユーザが第１ウェブブラウジング画面内のオブジェクトをタッチすると、そのタッチされたオブジェクトにリンクされた第２ウェブブラウジング画面が表示される。
【０２５５】
一方、図２１〜図２３に示す構成は、上述の実施形態だけでなく、他の実施形態に対しても同様に適用される。即ち、他の実施形態においても、第１ウェブブラウジング画面が両ディスプレイ部（１９０ａ、１９０ｂ）の両方に表示され、ユーザ選択があると、第１ウェブブラウジング画面が縮小されると同時に、第２ウェブブラウジング画面が表示されてもよい。或いは、第１ウェブブラウジング画面は現在実行中の別の画面を遮らない位置に先に表示され、ユーザ選択があると、第２ウェブブラウジング画面が別の画面を遮る形態で新たに表示されてもよい。
【０２５６】
図２４は、マルチディスプレイ装置に複数のウェブブラウジング画面を表示する一例を示す遷移図である。
【０２５７】
図２４を参照すると、マルチディスプレイ装置１００でウェブブラウザが実行されると（ステップＳ１０１０）、マルチディスプレイ装置は、予め設定されたソース１（１０００ａ）にアクセスする。そのために、ウェブページデータを要求するための要求信号を送信する（ステップＳ１０１２）。
【０２５８】
具体的に、マルチディスプレイ装置１００は、予め設定されたＵＲＬ情報に基づいて、ソース１にアクセスし、ｈｔｔｐ（ｈｙｐｅｒｔｅｘｔ  ｔｒａｎｓｆｅｒ  ｐｒｏｔｏｃｏｌ）によるウェブページデータ要求信号を送信する。それにより、ソース１（１０００ａ）からウェブページデータが受信されると（ステップＳ１０１４）、そのウェブページデータを用いて、第１ウェブブラウジング画面を生成して表示する（ステップＳ１０２０、ステップＳ１０３０）。
【０２５９】
具体的に、マルチディスプレイ装置１００は、受信したウェブページデータを保存し、それを処理してＢＭＰ（ｂｉｔｍａｐ）イメージを生成し、生成されたＢＭＰイメージを仮想フレームバッファにアップロードする。このとき、仮想フレームバッファは、第１ディスプレイ部１９０ａに表示される領域（第１アドレス）と第２ディスプレイ部１９０ｂに表示される領域（第２アドレス）とが区分されるように第１、２アドレスによって区別される。マルチディスプレイ装置１００は、第１ウェブブラウジング画面に対するイメージデータを仮想フレームバッファ上の第１アドレス領域にアップロードする。例えば、第１アドレスが横０〜６００の間のピクセル情報に対する値と、縦０〜１０２４の間のピクセル情報に対する値を有する場合、第１ディスプレイ部１９０ａは、仮想フレームバッファ上の第１アドレスにマッピングされたデータを読み取り、それを用いて第１ウェブブラウジング画面を表示する。
【０２６０】
ユーザは、第１ウェブブラウジング画面に表示されるオブジェクトを選択することができる（ステップＳ１０４０）。マルチディスプレイ装置１００は、ユーザによってタッチされた第１ウェブブラウジング画面上のタッチ領域の位置の値を分析し、分析された位置の値に対応するオブジェクトを判断する。
【０２６１】
マルチディスプレイ装置１００は、選択されたオブジェクトにリンクされたｈｔｔｐ文書がない場合には、新たなウェブブラウザの実行を行わない。しかし、選択されたオブジェクトにリンクされたｈｔｔｐ文書がある場合には、新たなウェブブラウザの実行のための準備動作を行う。
【０２６２】
それについて具体的に説明すると、選択されたオブジェクトにリンクされたアドレスが指示するソース２（１０００ｂ）にウェブページデータ要求信号を送信する。即ち、選択されたオブジェクトには、リンク情報及びリンクされた当該ソースが位置するＩＰアドレスに対する情報が含まれている。マルチディスプレイ装置１００は、当該ＩＰアドレスに基づいて、当該リンクされた文書が存在するソース２（１０００ｂ）にウェブページデータ要求信号を送信する（ステップＳ１０４２）。
【０２６３】
ソース２（１０００ｂ）は、ウェブページデータ要求信号に応答し、当該ｈｔｔｐページに対するウェブページデータを、要求してきた特定ＩＰ（Ｉｎｔｅｒｎｅｔ  Ｐｒｏｔｏｃｏｌ）アドレスを有するマルチディスプレイ装置１００に当該ソースデータを送信する（ステップＳ１０４４）。
【０２６４】
マルチディスプレイ装置１００は、受信したウェブページデータを保存し、それを用いて第２ウェブブラウジング画面を生成した後、第２ディスプレイ部を介して表示する（ステップＳ１０５０、ステップＳ１０６０）。第２ウェブブラウジング画面を生成して表示する方法は、第１ウェブブラウジング画面を表示する方式と同様であるため、繰り返しになる説明は省略する。
【０２６５】
一方、図２４には示していないが、上述のように、第２ウェブブラウジング画面に対するユーザタッチが行われた場合、そのタッチされたオブジェクトにリンクされた第３ウェブブラウジング画面が新たに表示されてもよい。
【０２６６】
図２５は、本発明の一実施形態によるマルチディスプレイ装置で複数のウェブブラウジング画面を表示することをより具体的に説明するための図である。
【０２６７】
図２５に示すように、第１ディスプレイ部１９０ａに第１ウェブブラウジング画面（Ａ）が表示された状態で、ユーザが第１ウェブブラウジング画面（Ａ）内の第１オブジェクト１９２−１が選択されると、第２ディスプレイ部１９０ｂ上には第１オブジェクト１９２−１にリンクされたソースから提供される第２ウェブブラウジング画面（Ｂ）が表示される。第１オブジェクト１９２−１とは、第１ウェブブラウジング画面（Ａ）に表示されるアイコン、テキスト、イメージ、メニューのうちの１つである。
【０２６８】
このような状態で、第２ウェブブラウジング画面（Ｂ）内の第２オブジェクト１９２−２が再び選択されると、第２オブジェクト１９２−２にリンクされた第３ウェブブラウジング画面（Ａ’）が再び第１ディスプレイ部１９０ａに表示される。
【０２６９】
このとき、第３ウェブブラウジング画面（Ａ’）は、第１ウェブブラウジング画面上にオーバーラップされる。マルチディスプレイ装置１００は、ユーザ選択に応じて、第１ウェブブラウジング画面（Ａ）と第３ウェブブラウジング画面（Ａ’）間の位置を切り替える。例えば、ユーザが第１ウェブブラウジング画面（Ａ）にオーバーラップされた第３ウェブブラウジング画面（Ａ’）をダブルタッチしたり、フリック、ドラッギングする等のタッチ操作をしたりするようなボタン操作を行うと、第３ウェブブラウジング画面（Ａ’）が下方に下がり、再び第１ウェブブラウジング画面（Ａ）が第３ウェブブラウジング画面（Ａ’）上にオーバーラップされて表示される。このような画面切り替え動作は、ユーザ操作によって交互に行われる。
【０２７０】
或いは、マルチディスプレイ装置１００は、第３ウェブブラウジング画面（Ａ’）が生成されると、第１ウェブブラウジング画面（Ａ）を除去して第１ウェブブラウジング画面（Ａ）に対する情報を保存部に保存した後、第３ウェブブラウジング画面（Ａ’）を表示することができる。このような状態で、画面切り替え命令が入力されると、マルチディスプレイ装置１００の制御部１３０は、表示された第３ウェブブラウジング画面（Ａ’）を除去し、保存部に保存された情報を用いて第１ウェブブラウジング画面（Ａ）を第１ディスプレイ部１９０ａに表示する。
【０２７１】
一方、第３ウェブブラウジング画面（Ａ’）でも、再び第３オブジェクト１９２−３が選択されると、第３オブジェクト１９２−３にリンクされた第４ウェブブラウジング画面（Ｂ’）が第２ディスプレイ部１９０ｂに表示される。
【０２７２】
このように、各ウェブブラウジング画面は、リンク関係に応じて連動して生成され、第１及び第２ディスプレイ部１９０ａ、１９０ｂに交互に表示される。各ウェブブラウジング画面は、相互に関連性を有する画面である。仮に、第１ウェブブラウジング画面内で写真が選択された場合、その写真にリンクされたＵＲＬから当該写真を含むウェブページが第２ウェブブラウジング画面に生成される。それにより、ユーザが複数個のウェブブラウジング画面を相互に連結させてみることができ、ユーザの便宜性が増大する。
【０２７３】
一方、保存部１７０は、各ウェブブラウジング画面が順次に生成されて表示される間、各ウェブブラウジング画面に対する履歴情報を保存する。例えば、図２５の例で、保存部１７０は、第１ディスプレイ部１９０ａに表示された第１ウェブブラウジング画面（Ａ）及び第３ウェブブラウジング画面（Ａ’）に対する履歴情報を保存し、第２ディスプレイ部１９０ｂに表示された第２ウェブブラウジング画面（Ｂ）及び第４ウェブブラウジング画面（Ｂ’）に対する履歴情報を保存する。
【０２７４】
第１ディスプレイ部及び第２ディスプレイ部１９０ａ、１９０ｂに、それぞれ表示される画面の切り替えに対しては、以下で別途に説明する。
【０２７５】
一方、上述の実施形態において、ユーザがオブジェクト（１９２−１）を選択すると、そのオブジェクトにリンクされたソースから提供されるウェブブラウジング画面は、他のディスプレイ部に直ちに表示される。しかし、このように、ウェブブラウジング画面を直ちに表示するようにすると、ユーザ自分がオブジェクトをタッチしたものと、新たに表示されるウェブブラウジング画面間の関連性を直観的に認識しにくくなる可能性がある。
【０２７６】
従って、オブジェクト選択によって新たに生成されるディスプレイ画面を知らせるためのグラフィック効果を付加し、画面切り替え過程が漸進的に表示される。
【０２７７】
図２６〜図２９は、本発明の一実施形態によるマルチディスプレイ装置でユーザ選択に応じて第２ディスプレイ部にウェブブラウジング画面が表示される多様な例を示す図である。
【０２７８】
図２６で、第１ディスプレイ部１９０ａに第１ウェブブラウジング画面が表示され、第２ディスプレイ部１９０ｂに第２ウェブブラウジング画面が表示された状態で、第１ウェブブラウジング画面内で１つのオブジェクト（１９２−１）が選択されると、制御部１３０は、第３ウェブブラウジング画面１９０ｂ−１（図２７、２８参照）を第１ディスプレイ画面１９０ａ上に小さい形で先に表示する。その後、生成された第３ウェブブラウジング画面１９０ｂ−１の大きさを漸進的に増大させながら、その表示位置を第２ディスプレイ画面１９０ｂの方向に漸進的に移動させる。この過程によって、その移動軌跡に対して各種グラフィックオブジェクトを付加して選択されたオブジェクトからリンクされる画面であることをユーザが直観的に分かるようにすることができる。
【０２７９】
即ち、図２７〜図２９に示すように、第３ウェブブラウジング画面１９０ｂ−１は、最初に小さく生成され、第２ディスプレイ部１９０ｂに移動する過程で次第に大きくなって、第２ディスプレイ画面１９０ｂに完全に移動すると、第２ディスプレイ部１９０ｂのディスプレイサイズに合うように拡大され、既存に表示されていた第２ウェブブラウジング画面を除去する。即ち、第２ウェブブラウジング画面が第３ウェブブラウジング画面に代替される。
【０２８０】
同様に、図３０〜図３３に示すように、第４ウェブブラウジング画面１９０ａ−１は、最初に小さく生成され、第１ディスプレイ画面１９０ａに移動する過程で次第に大きくなって、第１ディスプレイ画面１９０ａから完全に移動し切ると、第１ディスプレイ部１９０ａのディスプレイサイズに合うように拡大され、既存に表示されていた第２ウェブブラウジング画面を除去する。即ち、第２ウェブブラウジング画面が第３ウェブブラウジング画面に代替される。
【０２８１】
＜マルチディスプレイ部に表示されたウェブブラウジング画面切り替え＞
【０２８２】
図３４〜図３６は、本発明の他の実施形態によるマルチディスプレイ装置でそれぞれのディスプレイ部のウェブブラウジング画面間の切り替えの多様な例を示す図である。
【０２８３】
図３４に示すように、第１ディスプレイ部には第４ウェブブラウジング画面１９０ａ−１が表示され、第２ディスプレイ部には第３ウェブブラウジング画面１９０ｂ−１が表示されている。
【０２８４】
図３４で、第１ディスプレイ部に第４ウェブブラウジング画面１９０ａ−１の前に表示された第１ウェブブラウジング画面１９０ａは点線で示され、第２ディスプレイ部で第３ウェブブラウジング画面１９０ｂ−１の前に表示された第２ウェブブラウジング画面１９０ｂも点線で示されている。
【０２８５】
第１ディスプレイ部に表示された第４ウェブブラウジング画面１９０ａ−１と第２ディスプレイ部に表示された第３ウェブブラウジング画面１９０ｂ−１とは、相互に関連性があるが、第４ウェブブラウジング画面１９０ａ−１と第１ウェブブラウジング画面１９０ａとは相互に関連していない。また、第３ウェブブラウジング画面１９０ｂ−１と第２ウェブブラウジング画面１９０ｂも相互に関連していない。従って、別途の「戻る」ボタンを押す場合には、従来の方式のように、第４ウェブブラウジング画面１９０ａ−１で第１ウェブブラウジング画面１９０ａに直ちに戻ることができない。これに対しては、第１ディスプレイ部を介してユーザによる画面切り替えジェスチャが入力されると、制御部１３０は、保存部１７０に保存されている第１ディスプレイ部１９０ａで表示されたウェブブラウザのＵＲＬアドレス記録、履歴情報、及び第１ディスプレイ部１９０ａに表示されたウェブブラウジング画面が保存された時間データを用いて、第４ウェブブラウジング画面１９０ａ−１で第１ウェブブラウジング画面１９０ａに画面を切り替えさせる（図３６を参照）。
【０２８６】
また、第２ディスプレイ部を介してユーザによる画面切り替えジェスチャが入力されると、制御部１３０は、保存部１７０に保存されている第２ディスプレイ部１９０ｂで表示されたウェブブラウザのＵＲＬアドレス記録、履歴情報、及び第２ディスプレイ部１９０ｂに表示されたウェブブラウジング画面が保存された時間データを用いて、第３ウェブブラウジング画面１９０ｂ−１から第２ウェブブラウジング画面１９０ｂに画面を切り替えさせる（図３７を参照）。
【０２８７】
図３７〜図４１は、本発明の更に他の実施形態によるマルチディスプレイ装置でそれぞれのディスプレイ部のウェブブラウジング画面間の切り替えの多様な例を示す図である。
【０２８８】
図３７に示すように、第１ディスプレイ画面に第４ウェブブラウジング画面１９０ａ−１が表示され、第２ディスプレイ画面に第３ウェブブラウジング画面１９０ｂ−１が表示された状態で、第１ディスプレイ画面で３つの領域をタッチした後、それを中心方向に動かすジェスチャ（Ｚ）を行う。
【０２８９】
ジェスチャ（Ｚ）が入力されると、制御部１３０は、第１、２ディスプレイ部に表示されたウェブブラウジングをそれぞれのディスプレイ部に重ねて表示するように制御する。図３８では、第１ディスプレイ画面に複数のウェブブラウジング画面を重ねて表示している実施形態を示している。図３８に示すように、第１ディスプレイ画面に第１ウェブブラウジング要約画面１９００ａと第４ウェブブラウジング要約画面１９００ａ−１が重ねて表示され、そのうちの第１ウェブブラウジング要約画面１９００ａを選択１９１することが示されている（図３９参照）。
【０２９０】
図４０を参照すると、図３７に示すジェスチャ（Ｚ）によって、第１ディスプレイ部１９０ａ及び第２ディスプレイ部１９０ｂに、複数のウェブブラウジング画面がそれぞれ重ねて表示されていることを確認することができる。即ち、第１ディスプレイ部１９０ａに、第１ウェブブラウジング要約画面１９００ａ及び第４ウェブブラウジング要約画面１９００ａ−１が重なって表示される。第２ディスプレイ部１９０ｂには、第２ウェブブラウジング要約画面１９００ｂ、第３ウェブブラウジング要約画面１９００ｂ−１及び第５ウェブブラウジング要約画面１９００ｂ−２が重なって表示される。
【０２９１】
ユーザによって、第１ディスプレイ部１９０ａで第１ウェブブラウジング要約画面１９００ａが選択され、第２ディスプレイ部１９０ｂで第５ウェブブラウジング要約画面１９００ｂ−２が選択されると、それぞれ選択された第１ウェブブラウジング要約画面１９００ａと第５ウェブブラウジング要約画面１９００ｂ−２の全画面が第１ディスプレイ部１９０ａと第２ディスプレイ部１９０ｂとに表示される（図４１を参照）。
【０２９２】
図４２〜図４４は、本発明の更に他の実施形態によるマルチディスプレイ装置でウェブブラウジング画面をサムネール画面で表示する多様な例を示す図である。
【０２９３】
図４２を参照すると、第１ディスプレイ部１９０ａには、第１ウェブブラウジング要約画面１９００ａの全画面が表示され、第２ディスプレイ部１９０ｂには第５ウェブブラウジング要約画面１９００ｂ−２の全画面が表示されていることを確認することができる。
【０２９４】
図３７に示すように、ユーザのジェスチャ（Ｚ）が入力されると、図４３に示すように、第１ディスプレイ部１９０ａのみに第１ウェブブラウジング要約画面１９００−１及び第４ウェブブラウジング要約画面１９００−２が第１ディスプレイ部の所定領域にサムネール形態で表示され、第４ウェブブラウジング要約画面１９００−２の全画面１９０ａ−１が残りの領域に表示される。第２ディスプレイ部１９０ｂには、第５ウェブブラウジング要約画面の全画面１９０ｂ−１が表示される。
【０２９５】
或いは、第１ディスプレイ部１９０ａにジェスチャ（Ｚ）が入力された場合、図４４に示すように、第１ディスプレイ部１９０ａ及び第２ディスプレイ部１９０ｂに第１〜第５ウェブブラウジング要約画面１９００−１、１９００−２、１９０２−１、１９０２−２、１９０２−３が第１及び第２ディスプレイ部１９０ａ、１９０ｂの一部領域にサムネール形態で表示されてもよい。
【０２９６】
即ち、第１ウェブブラウジング要約画面１９００−１及び第４ウェブブラウジング要約画面１９００−２は、第１ディスプレイ部１９０ａの一部領域にサムネール形態で表示される。第２ウェブブラウジング要約画面１９０２−１、第３ウェブブラウジング要約画面１９０２−２、第５ウェブブラウジング要約画面１９０２−３は、第２ディスプレイ部１９０ｂの一部領域にサムネール形態で表示される。
【０２９７】
＜ウェブページ属性によるウェブブラウジング画面表示＞
【０２９８】
上述の実施形態においては、１つのウェブブラウジング画面に対してユーザが一部のオブジェクトを選択した場合に、その選択されたオブジェクトに対応するウェブブラウジング画面が表示されることを説明しているが、ユーザ選択がなくても、関連するウェブブラウジング画面が表示される。
【０２９９】
図４５及び図４６は、発明の更に他の実施形態によるマルチディスプレイ装置でウェブブラウジング画面からメインコンテンツとサブコンテンツとを分離して表示する多様な例を示す図である。
【０３００】
図４５を参照すると、マルチディスプレイ装置１００の第１ディスプレイ部１９０ａに第１ウェブブラウジング画面を表示し、第２ディスプレイ部１９０ｂに第２ウェブブラウジング画面を表示していることを確認することができる。実施形態によっては、別途のアプリケーションが表示されなくてもよい。
【０３０１】
ユーザによって第１ウェブブラウジング画面に含まれる第１リンク領域１９１が選択されると、制御部１３０は、リンクされたソースデータが保存された外部サーバからソースデータを要求する信号を送信し、要求に応答してソースデータを受信すると、それを用いて第２ウェブページ画面を生成する。
【０３０２】
このとき、受信したソースデータには、メインコンテンツ及び付加コンテンツを含む。ここで、メインコンテンツは、当該ウェブページの主な内容を含むコンテンツを意味する。例えば、ユーザによって特定スポーツ記事をクリックした場合、メインコンテンツは特定コンテンツ記事に直接関連する内容である。一方で、付加コンテンツは、当該ウェブページに含まれるサブ的な内容（例えば、コメント、関連記事等）か、或いは当該ウェブページの内容とは全く関係のない広告コンテンツや広告ポップアップ等を含む。
【０３０３】
制御部１３０は、受信したソースデータを分析し、メインコンテンツと付加コンテンツとを分類し、メインコンテンツに対するデータを用いて第１ウェブブラウジング画面を生成し、それを第１ディスプレイ部１９０ａにメインウェブページ画面１９０ａ−１として表示し、付加コンテンツに対するデータを用いて第２ウェブブラウジング画面を生成し、それを第２ディスプレイ部１９０ｂにサブウェブページ画面１９００ｂ−１、１９００ｂ−２、１９００ｂ−３として表示するように制御する（図４６を参照）。
【０３０４】
このとき、制御部１３０は、メインウェブページ画面１９０ａ−１のレイアウトを変更して表示する。即ち、制御部１３０は、受信したソースデータに含まれるメインコンテンツを構成する下位コンテンツの内容を分析し、第１ディスプレイ部１９０ａのディスプレイ設定値に基づいて、下位コンテンツの大きさ、配列、位置等を再配列することで可読性が向上したメインウェブページ画面を生成し、第１ディスプレイ部１９０ａに表示する。
【０３０５】
一方、制御部１３０は、第２ディスプレイ部１９０ｂに表示される付加コンテンツを属性別に分類し、当該付加コンテンツに対応するサブウェブページ画面１９００ｂ−１、１９００ｂ−２、１９００ｂ−３を生成する。
【０３０６】
＜ウェブブラウジング画面の特定領域選択表示＞
【０３０７】
図４７〜図５１は、本発明の更に他の実施形態によるマルチディスプレイ装置でユーザによって選択された領域を再配列して表示する多様な例を示す図である。
【０３０８】
図４７に示すように、第１ディスプレイ部１９０ａに第１ウェブブラウジング画面が表示され、第２ディスプレイ部１９０ｂに別途のウェブブラウジング画面が表示され、第１ウェブブラウジング画面に関連性のないウェブブラウジング画面が表示される。ユーザによって第１ウェブブラウジング画面上に予め設定された領域１９４が選択されると、制御部１３０は、受信したソースデータのうち、ユーザによって選択された予め設定された領域１９４に該当する内容を分析する。ユーザが選択された領域に対する拡大表示要求を入力すると（図４８を参照）、制御部１３０は、分析されたデータに基づいて第２ウェブブラウジング画面１９４を生成する。
【０３０９】
図４９に示すように、第２ウェブブラウジング画面１９４は、第１ウェブブラウジング画面の一部領域に含まれる内容に関するウェブブラウジング画面である。即ち、ユーザによって第１ウェブブラウジング画面のうちの一部領域が選択されると、選択された一部領域に含まれるコンテンツの内容を分析し、分析結果に応じて、選択された領域のコンテンツに関する第２ウェブブラウジング画面１９４を生成する。即ち、図４９に示す第２ウェブブラウジング画面１９４は、単に第１ウェブブラウジング画面１９０ａ−１の一部分を拡大して表示するものではない。
【０３１０】
具体的に説明すると、選択された領域に含まれるコンテンツを含みながら、そのレイアウトが変更された新たな形態のウェブページ画面である。即ち、ユーザによって選択された領域１９４に含まれるコンテンツの中から、外部サーバとリンクされたコンテンツは第２ウェブブラウジング画面１９４でもリンク情報を含んでいる。なお、第１ウェブブラウジング画面と第２ウェブブラウジング画面とは相互に連動されている。制御部１３０が、第１ウェブブラウジング画面を更新するために、予め設定された周期で、外部サーバから更新されたソースデータを受信すると、受信した更新ソースデータを用いて第１ウェブページ画面を更新し、第２ウェブブラウジング画面１９４も自動的に更新されて第２ディスプレイ部１９０ｂに表示される。
【０３１１】
一方、本発明の更に他の実施形態において、ユーザが選択領域１９４を選択する場合、選択領域を構成するウェブブラウジング画面は他のディスプレイ部に直ちに表示されてもよい。しかし、このように、ウェブブラウジング画面を直ちに表示すると、ユーザ自身がオブジェクトをタッチしたものと、新たに表示されるウェブブラウジング画面との間の関連性を直観的に認識しにくくなる可能性がある。
【０３１２】
従って、オブジェクト選択によって新たに生成されるディスプレイ画面を知らせるためのグラフィック効果を付加して画面切り替え過程が漸進的に表示され得る。
【０３１３】
図５０〜図５１は、本発明の更に他の実施形態によるマルチディスプレイ装置でユーザ選択に応じてウェブブラウジング画面が表示される一例を示す図である。
【０３１４】
図５０は、ユーザによって選択された選択領域１９４を第１ディスプレイ部１９０ａから第２ディスプレイ部１９０ｂに移動させる過程を説明する図である。即ち、図５０に示すように、ユーザが第１ウェブブラウジング画面のうちの一部領域を選択し、選択領域１９４を第２ディスプレイ部１９０ｂに移動させるジェスチャが入力されると、選択領域１９４は第１ディスプレイ部１９０ａから第２ディスプレイ画面１９０ｂに移動される。即ち、図４７に示すように、ユーザが選択領域１９４を選択し、当該選択領域１９４を第２ディスプレイ部１９０ｂ方向に移動させる移動ジェスチャが入力されると、選択領域１９４は第１ディスプレイ部１９０ａから第２ディスプレイ部１９０ｂに進みながら、サイズが大きくならずに元のサイズで移動するように、視覚的効果を与えることができる（図５０を参照）。
【０３１５】
図５１に示すように、第１ディスプレイ部１９０ａの選択された領域１９４は、第２ディスプレイ部１９０ｂに移動が完了すると、第２ディスプレイ部１９０ｂのディスプレイサイズに応じてスケーリングされ、第２ウェブブラウジング画面１９４’にディスプレイされる。即ち、第２ウェブブラウジング画面１９４’は、画面を構成するコンテンツのサイズ、配列、位置等が変更されることで、レイアウトが変更されて表示される。
【０３１６】
＜マルチディスプレイ部の属性変更＞
【０３１７】
図５２〜図５７は、本発明の更に他の実施形態によるマルチディスプレイ装置で各ディスプレイ部の解像度を変更してウェブブラウジング画面を更新して表示する多様な例を示す図である。
【０３１８】
図５２を参照すると、第１ディスプレイ部１９０ａは１０２４×６００の解像度で表示され、第２ディスプレイ部１９０ｂは１０２４×６００の解像度で表示される。ユーザが、第２ディスプレイ部１９０ｂの解像度を変更する場合、第２ディスプレイ部１９０ｂの両地点をタッチし、タッチされた２つの地点の間の距離を広げる場合に、第２ディスプレイ部１９０ｂの解像度は段階的に低くなる。例えば、第２ディスプレイ部１９０ｂがサポートする解像度に応じて、８００×４８０、４８０×３２０、３２０×２４０に次第に減少する。
【０３１９】
或いは、第２ディスプレイ部１９０ｂの両時点をタッチし、タッチされた２つの地点の間の距離を狭める場合に、狭める距離に応じて、第２ディスプレイ部１９０ｂの解像度は、３２０×２４０、４８０×３２０、８００×４８０に次第に増加する。
【０３２０】
図５３は、第２ディスプレイ部１９０ｂの解像度を第１ディスプレイ部１９０ａの解像度より低くし、第１、２ディスプレイ部の属性を異なるように設定することを示している。
【０３２１】
一実施形態によると、第１ディスプレイ部１９０ａと第２ディスプレイ部１９０ｂとはそれぞれ独立してディスプレイ設定をすることができ、このようにディスプレイ設定が異なる場合に、変更されたディスプレイ設定に最適化された可読性を有するようにウェブブラウジング画面が再配列されて表示される。或いは、一実施形態によるマルチディスプレイ装置１００は、第１ディスプレイ部１９０ａでパソコンバージョンのウェブブラウジング画面を表示することができるように設定することができ、第２ディスプレイ部１９０ｂでモバイルバージョンのウェブブラウジング画面を表示することができるように設定することができる。
【０３２２】
図５４は、ディスプレイ部の解像度を変更するための多様なユーザジェスチャの中で、一実施形態に該当するジェスチャに対して説明する概念図である。
【０３２３】
第１ディスプレイ部１９０ａに第１タッチ（Ｘ１）と第２タッチ（Ｘ２）が行われた状態で、ユーザが第２ディスプレイ部１９０ｂの特定領域を第３タッチ（Ｙ１）すると、現在の第２ディスプレイ部１９０ｂの解像度が一段階減少し、特定領域を第４タッチ（Ｙ２）すると、第２ディスプレイ部１９０ｂの解像度が一段階更に減少する。
【０３２４】
また、第２ディスプレイ部１９０ｂに２つのタッチを行った状態で、第１ディスプレイ部１９０ａの特定領域を連続してタッチすると、タッチした回数だけ第２ディスプレイ部の解像度が減少する。例えば、１回タッチすると１０２４×１２００から１０２４×６００に減少し、２回タッチすると１０２４×６００から８００×４８０に減少する。ディスプレイ部でサポート可能な最小解像度の３２０×２４０になった後に、１回タッチが行われると、再び最大解像度の１０２４×１２００に変更される。
【０３２５】
第１ディスプレイ部１９０ａ及び第２ディスプレイ部１９０ｂの解像度を高める方式について説明する。
【０３２６】
例えば、第１ディスプレイ部１９０ａに３つのタッチを行った状態で、第２ディスプレイ部１９０ｂの特定領域を連続してタッチすると、タッチした回数だけ第２ディスプレイ部の解像度が増加する。逆に、第２ディスプレイ部１９０ａに３つのタッチを行った状態で、第１ディスプレイ部１９０ａの特定領域を連続してタッチすると、タッチした回数だけ第１ディスプレイ部１９０ａの解像度が増加する。
【０３２７】
図５５は、ディスプレイの解像度を変更する別の方式のジェスチャを説明する図である。
【０３２８】
図５５に示すように、第１ディスプレイ部１９０ａに１回のタッチを行った状態で、第２ディスプレイ部１９０ｂの特定領域で円を描くタッチ（Ｓ）をすると、円を描く回数だけ第１ディスプレイ部１９０ａの解像度が増加する。
【０３２９】
解像度を増加させるタッチ（Ｓ）の反対方向に円を描くと、解像度が減少する。
【０３３０】
上述の解像度変更のためのユーザのジェスチャは例示的なものに過ぎず、その他にも、別途の解像度変更ボタンをマルチディスプレイ装置１００に備えることもでき、予め備えられたボタン部を押して解像度を変更することもできる。
【０３３１】
このような解像度変更方式は、単に例示的なものに過ぎないため、多様な実施形態に変形され得る。
【０３３２】
本願発明のディスプレイ解像度変更の実施形態の特徴は、マルチディスプレイ装置でそれぞれのディスプレイ部の解像度及びレイアウトを直観的に調節することができるように、制御部１３０が複数のディスプレイ部をそれぞれ個別に制御することにある。
【０３３３】
本願発明は、複数のディスプレイ部に供給するソースデータに含まれる解像度情報を変更するための制御命令をユーザの直観的な方式で入力するようにすることで、ユーザが直観的にそれぞれのディスプレイ解像度を変更することができる効果を奏する。
【０３３４】
図５６は、第１ディスプレイ部（１９０ａ−１）及び第２ディスプレイ部（１９０ｂ−１）が同一の解像度の画面を表示していることを示す。
【０３３５】
この場合、第１ディスプレイ部に表示されたウェブブラウジング画面１９０ａ−１に含まれるリンク領域をクリックし、第２ディスプレイ部に新たなウェブブラウジング画面１９０ｂ−１を表示する場合にも、ウェブブラウジング画面の解像度を変更する必要がない。
【０３３６】
しかし、ユーザが上述の方式によって、第２ディスプレイ部の出力解像度を変更した場合にも、第２ディスプレイ部に表示されるウェブブラウジング画面は解像度に応じてレイアウトが自動的に変更される。
【０３３７】
図５７は、レイアウトが変更されたウェブブラウジング画面を示す。図５７を参照すると、第２ディスプレイ部の出力解像度が変更された場合に、第２ディスプレイ部に表示されるウェブブラウジング画面１９０ｂ−２のレイアウトが変更されて表示される。
【０３３８】
図５８は、本発明の一実施形態によるマルチディスプレイ装置でウェブブラウジングが表示された第１、２ディスプレイ部の一例をより具体的に示す図である。
【０３３９】
図５８に示すように、第１ディスプレイ部１９０ａ及び第２ディスプレイ部１９０ｂには、相互に関連性のないウェブブラウジング画面がそれぞれ表示される。或いは、それぞれのウェブブラウジング画面は相互に関連性のあるウェブブラウジング画面であってもよい。
【０３４０】
第１ディスプレイ部１９０ａには、マルチディスプレイ装置１００の通信状態や無線ＬＡＮ受信状態等を表示する通信表示ウィンドウ５９０１及び検索のための検索ボタン５９０３を備えたウェブブラウジング画面が表示される。
【０３４１】
第２ディスプレイ部１９０ｂには、第２ディスプレイ部１９０ｂで現在表示しているアプリケーションの状態情報５９０２、実行中のアプリケーションのうちの活性化された状態でないアプリケーションを指示する指示子５９０４、活性化された状態で表示されているアプリケーションを指示する指示子５９０５、及び現在実行されているアプリケーションであるウェブブラウジング画面５９０６を含むウェブブラウジング画面が表示される。図５８に示すディスプレイ部の画面は例示的なものに過ぎず、画面のレイアウトは多様な形式で変更されて具現される。
【０３４２】
＜ディスプレイ部の属性に応じたウェブブラウジング画面表示＞
【０３４３】
図５９及び図６０は、本発明の他の実施形態によるマルチディスプレイ装置の回転によりウェブブラウジング画面を回転して表示する多様な例を示す図である。
【０３４４】
図５９は、第１、２ディスプレイ部１９０ａ、１９０ｂに、それぞれウェブブラウジングが実行されている画面を表示している。図５９に示すマルチディスプレイ装置１００をＹ軸からＸ軸方向に９０°回転させると、第１ディスプレイ部１９０ａ及び第２ディスプレイ部１９０ｂは、それぞれランドスケープモード（「横向きに見る」モード）に切り替えられて表示される。
【０３４５】
このとき、第１ディスプレイ部１９０ａの解像度は６００×８００から８００×６００に変更される。マルチディスプレイ装置１００が回転する前に、第１ディスプレイ部１９０ａで６００×８００で表現されていたウェブブラウジング画面が８００×６００で表示されるとしても、画面のボケやユーザの可読性が落ちる問題が生じないように、制御部１３０は、第１ウェブブラウジング画面を生成するために利用したソースデータを分析し、ディスプレイ方向を決定する方向データ値に時計回りに９０°回転するように変更する変更値を追加し、第３ウェブブラウジング画面１９０ｂ’を生成する。制御部１３０は、生成された第３ウェブブラウジング画面１９０ａ’を第１ディスプレイ部１９０ａに表示する。
【０３４６】
また、第２ディスプレイ部１９０ｂの解像度は６００×８００から８００×６００に変更される。マルチディスプレイ装置１００の回転前に、第２ディスプレイ部１９０ｂで表示されたウェブブラウジング画面は６００×８００の解像度から８００×６００に解像度が変更されることで、ユーザの可読性が低下することになるが、制御部１３０は、第２ウェブブラウジング画面１９０ｂを生成するために利用したソースデータを分析し、ディスプレイ方向を決定する方向データ値に時計回りに９０°回転するように変更する変更値を追加し、第２ウェブブラウジング画面１９０ｂを構成している全コンテンツを分析してコンテンツのサイズ、レイアウト、配列等を変更し、第４ウェブブラウジング画面１９０ｂ’を生成する。制御部１３０は、生成された第４ウェブブラウジング画面１９０ｂ’を第２ディスプレイ部に表示する。
【０３４７】
図６１〜図６４は、本発明の更に他の実施形態によるマルチディスプレイ装置に備えられたボタン部によるウェブブラウジング画面更新、切り替えの多様な例を示す図である。
【０３４８】
図６１を参照すると、第１ディスプレイ画面１９０ａは第１ウェブブラウジング画面を表示し、第２ディスプレイ画１９０ｂは第１ディスプレイ画面１９０ａに関連する第２ウェブブラウジング画面を表示する。ユーザが、第２ウェブブラウジング画面上で所定の領域（Ｘ）をロングタッチする。このとき、Ｘ領域をロングタッチすることは、３秒間の間だけ画面をタッチすることを意味する。ここで、３秒という時間は例示的に過ぎず、３秒より長く又はより短く設定してもよい。
【０３４９】
図６２を参照すると、ユーザが第２ウェブブラウジング画面１９０ｂ上でロングタッチをすると、第２ウェブブラウジング画面に重ねて選択ウィンドウ１９０ｃが表示される。このとき、選択ウィンドウ１９０ｃは、Ｏｐｅｎ  ｉｎ  ｎｅｗ  ｗｉｎｄｏｗ１９０Ｃ−２、Ｂｏｏｋｍａｒｋ  ｌｉｎｋ１９０ｃ−３、Ｓａｖｅ  ｌｉｎｋ１９０Ｃ−４、Ｓｈａｒｅ  ｌｉｎｋ１９０Ｃ−５、Ｃｏｐｙ  ｌｉｎｋ  ＵＲＬ１９０Ｃ−６、及びＳａｖｅ  ｉｍａｇｅ１９０Ｃ−７等の選択項目を含む。なお、マルチディスプレイ装置１００の第２ディスプレイ部１９０ｂの下部には複数のボタン１９５−１、１９５−２、１９５−３、１９５−４を備える。
【０３５０】
図６３を参照すると、ユーザが図６２に示す第２ディスプレイ部１９０ｂに表示された選択ウィンドウ１９０ｃのＯｐｅｎ１９０Ｃ−１を選択すると、新たなウェブページアドレスに移動することができるように新たな入力ウィンドウ（図示せず）が生成される。ユーザが入力ウィンドウに新たなウェブページＵＲＬアドレスを入力するか又は予め保存されたＵＲＬアドレスをクリックすると、制御部１３０は当該ＵＲＬアドレスにソースデータを要求し、要求に応答してソースデータを受信すると、受信したソースデータを用いてウェブブラウジング画面１９０ｂ−１を生成し、それを第２ディスプレイ部１９０ｂに表示する。
【０３５１】
図６４を参照すると、ユーザが図６２に示す第２ディスプレイ部１９０ｂで表示された選択ウィンドウ１９０ｃのＯｐｅｎ  ｉｎ  ｎｅｗ  ｗｉｎｄｏｗ１９０Ｃ−２を選択すると、新たなウェブブラウザを実行し、ウェブブラウザが実行されると、自動的に開始する基本ウェブページに設定されたＵＲＬからソースデータを受信し、受信したソースデータを用いてウェブブラウジング画面１９０ｂ−１を生成し、それを第１ディスプレイ部に表示する。
【０３５２】
ユーザが複数のボタンのうち、「戻る」ボタン１９５−３をクリックすると、第２ディスプレイ部１９０ｂに現在表示されている第２ウェブブラウジング画面が、表示される前の画面に戻る。もし、戻る画面がない場合、現在の第２ウェブブラウジング画面１９０ｂを更新して表示する。
【０３５３】
図６５〜図６９は、本発明の更に他の実施形態によるマルチディスプレイ装置で新たなウェブブラウジングの追加及び複数のウェブブラウジング間の切り替えの多様な例を示す図である。
【０３５４】
図６５を参照すると、第１ディスプレイ部の下部には複数のボタン１９５−５、１９５−６、１９５−７、１９５−８を備え、第２ディスプレイ部の下部には複数のボタン１９５−１、１９５−２、１９５−３、１９５−４を備える。
【０３５５】
図６６を参照すると、ユーザによって第１ディスプレイ部の下部に備えられたボタン１９５−５が選択されると、第１ディスプレイ部の画面１９０ａの下部に機能目録１９０ｄが重なるように表示される。ここで、機能目録１９０ｄは、Ｎｅｗ  ｗｉｎｄｏｗ１９０ｄ−１、Ｗｉｎｄｏｗ１９０ｄ−２、Ｄｕａｌ  Ｚｏｏｍ１９０ｄ−３、Ｂｒｏｗｓｅｒ  ｂｒｉｇｈｔｎｅｓｓ１９０ｄ−４、Ｆｏｒｗａｒｄ１９０ｄ−５、及びＭｏｒｅ１９０ｄ−６の選択項目を含む。
【０３５６】
図６７を参照すると、ユーザによって機能目録１９０ｄのうちからＷｉｎｄｏｗ１９０ｄ−２の選択項目が選択されると、第１ディスプレイ画面には現在実行されているブラウザのサムネール１９０ａ−１、１９０ａ−２、１９０ａ−３、１９０ａ−４が表示される。ユーザが、ブラウザのサムネールが表示された第１ディスプレイ部１９０ａ上で右方から左方にスライディングタッチジェスチャを入力すると、ブラウザのサムネールが右方から左方に移動する。
【０３５７】
図６８を参照すると、第１ディスプレイ部１９０ａでユーザのスライディングタッチが入力されると、ブラウザのサムネールページが移動する。即ち、第１ディスプレイ部１９０ａの画面には、複数のブラウザのサムネール１９０ａ−５、１９０ａ−６、１９０ａ−７、１９０ａ−８が表示される。
【０３５８】
ユーザが複数のブラウザサムネールのうちからＷＳＧ（Ｗｅｂ  Ｓｔａｎｄａｒｄｓ  Ｇｒｏｕｐ）１９０ａ−７を選択すると、当該ウェブブラウザが実行される。制御部１３０は、ＷＳＧ１９０ａ−７のソースデータを保存しているサーバからソースデータを受信し、受信したソースデータを用いてウェブブラウジング画面を生成する。
【０３５９】
図６９を参照すると、制御部１３０は、ＷＳＧ１９０ａ−７に関連するウェブブラウジング画面を生成し、第１ディスプレイ部１９０ａに生成されたウェブブラウジング画面を表示する。例えば、第１ディスプレイ部１９０ａにＷＳＧ１９０ａ−７に関連するウェブブラウジング画面が表示された状態で、図６７に示すように、「戻る」ボタンが選択されると（Ｘ）、第１ディスプレイ部１９０ａには、ＷＳＧ１９０ａ−７に関連するウェブブラウジング画面が変更されて選択前の画面が表示される。
【０３６０】
図７０は、本発明の更に他の実施形態によるマルチディスプレイ装置のマルチディスプレイ制御方法を示すフローチャートである。
【０３６１】
図７０に示すように、マルチディスプレイ装置は、第１ソースデータを保存しているウェブサーバのような遠隔サーバから第１ソースデータを受信し、受信した第１ソースデータを用いて第１ウェブブラウジング画面を生成する（ステップＳ７０１０）。ソースデータは、ウェブページデータを含む。第１ウェブブラウジング画面は、第１ディスプレイ部のディスプレイ設定に応じて変更されて表示される（ステップＳ７０３０）。
【０３６２】
その後、マルチディスプレイ装置１００は、第１ウェブブラウジング画面と別に第２ウェブブラウジング画面を生成して表示する（ステップＳ７０５０、ステップＳ７０７０）。
【０３６３】
実施形態に応じて、第２ウェブブラウジング画面は多様に決定される。
【０３６４】
例えば、上述の実施形態によると、第１ウェブブラウジング画面に含まれる第１リンク領域がユーザによって選択されると、第１リンク領域にリンクされたソースデータを保存しているサーバから第２ソースデータを受信して第２ウェブブラウジング画面を生成する（ステップＳ７０５０）。
【０３６５】
第２ウェブブラウジング画面を表示するステップは、第２ディスプレイ部に対応するように生成された第２ウェブブラウジング画面を表示する。即ち、第２ウェブブラウジング画面は、第２ディスプレイ部のディスプレイ設定及びディスプレイ方向に応じて適切にレイアウトが変更されて表示される（ステップＳ７０７０）。
【０３６６】
或いは、マルチディスプレイ装置は、ウェブサーバから受信した１つのウェブページデータを用いて、互いに異なる第１及び第２ウェブブラウジング画面を生成し、その画面をそれぞれ第１及び第２ディスプレイ部に表示することもできる。
【０３６７】
具体的に、制御部１３０は、ウェブページデータ内のメインコンテンツを用いて第１ウェブブラウジング画面を生成して第１ディスプレイ部に表示し、そのウェブページデータ内の付加コンテンツを用いて第２ウェブブラウジング画面を生成して第２ディスプレイ部に表示する。ここで、メインコンテンツとは、ウェブページに含まれるイメージやテキストであり、付加コンテンツとは、バナーイメージ及びポップアップイメージ等である。ポータルウェブサイトの場合、各種情報の他にも、広告や公知事項等がバナーイメージやポップアップイメージの形態で１つの画面内に表示される。従って、全画面の大きさが大きくなり得る。このようなことを考慮して、制御部１３０は、メインコンテンツを集めて１つのディスプレイ部に表示し、付加コンテンツを別途に収集して他のディスプレイ部に表示し、ユーザが容易に確認することができるように具現する。付加コンテンツ画面は、必要に応じて削除されてもよい。
【０３６８】
或いは、ウェブサーバは、互いに異なるバージョンのウェブページデータをそれぞれ提供することもできる。例えば、パソコンモニタバージョンやモバイル機器バージョンのように、同様のコンテンツが互いに異なるレイアウトによって配置される異なるバージョンのウェブページが個別に提供される。この場合、制御部１３０は、ウェブサーバから受信したウェブページデータの第１バージョンを用いて第１ウェブブラウジング画面を生成して第１ディスプレイ部に表示し、ウェブページデータの第２バージョンを用いて第２ウェブブラウジング画面を生成して第２ディスプレイ部に表示する。ユーザは、必要に応じて、特定バージョンの画面を第１及び第２ディスプレイ部１９０ａ、１９０ｂ全体に拡大することもできる。
【０３６９】
更に他の実施形態によると、制御部１３０は、第１ウェブブラウジング画面内でユーザが選択した特定領域に対応する付加情報を第２ウェブブラウジング画面に表示することもできる。
【０３７０】
図７１は、本発明の更に他の実施形態によるマルチディスプレイ装置のマルチディスプレイ制御方法を更に具体的に示すフローチャートであり、上述の実施形態のうち、ユーザのオブジェクト選択によって追加ウェブブラウジング画面を表示するマルチディスプレイ制御方法をより具体的に説明するためのフローチャートである。
【０３７１】
図７１は、第１ウェブブラウジング画面が表示された状態で、ユーザが第１ウェブブラウジング画面の特定オブジェクトを選択すると（ステップＳ７０４０の「Ｙ」）、選択されたオブジェクトにリンクされたソースデータが保存されている遠隔サーバにソースデータ伝送を要求し、要求に応答して遠隔サーバからソースデータを受信する（ステップＳ７０４２）。受信したソースデータを用いて第２ディスプレイ部のディスプレイ設定値に応じた第２ウェブブラウジング画面を生成する（ステップＳ７０４４）。
【０３７２】
生成された第２ウェブブラウジング画面は、第２ディスプレイ部で表示される（ステップＳ７０７０）。
【０３７３】
一方、上述の多様な実施形態によるマルチディスプレイ装置の動作制御方法や、ウェブブラウジング方法、ディスプレイ方法等は、プログラムで具現されてマルチディスプレイ装置に提供される。
【０３７４】
一例として、ウェブブラウザを実行させて第１ウェブブラウジング画面を生成するステップ、生成された第１ウェブブラウジング画面を第１ディスプレイ部に表示するステップ、第１ウェブブラウジング画面に関連する第２ウェブブラウジング画面を生成するステップ、及び生成された第２ウェブブラウジング画面を第２ディスプレイ部に表示するステップを実行させるプログラムが保存された非一時的な読み取り可能な記録媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供される。
【０３７５】
非一時的な読み取り可能な記録媒体とは、レジスタやキャッシュメモリ等のように短い間だけデータを保存する媒体ではなく、半永久的にデータを保存し、機器によって読み取りが可能な記録媒体を意味する。具体的に、上述の多様なアプリケーション又はプログラムは、ＣＤやＤＶＤ、ハードディスク、ブルーレイディスク、ＵＳＢ、メモリカード、ＲＯＭ等のような非一時的な読み取り可能な媒体に保存されて提供される。
【０３７６】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【０３７７】
２    第１ボディ
４    第２ボディ
５    有効認識領域
５０    ユーザオブジェクト
１００    マルチディスプレイ装置
１１０    通信部
１１１    セルラー通信モジュール
１１２    無線ＬＡＮモジュール
１１３    近距離通信モジュール
１１４    コネクタ
１１５    ＧＰＳモジュール
１１６    放送通信モジュール
１２０    マルチメディア部
１２１    オーディオ再生モジュール
１２２    ビデオ再生モジュール
１３０    制御部
１３１    ＣＰＵ
１３３    ＧＰＵ
１３４    ディスプレイ制御部
１３４−１    統合フレームバッファ
１３４−２    ディスプレイドライバ
１３４ａ−１    第１フレームバッファ
１３４ａ−２    第１ディスプレイドライバ
１３４ｂ−１    第２フレームバッファ
１３４ｂ−２    第３ディスプレイドライバ
１３５    ＲＡＭ
１３７    ＲＯＭ
１３９    システムバス
１４０    撮像部
１４１、１４１’    第１カメラ
１４２、１４２’    第２カメラ
１５０    センサ部
１５１    タッチセンサ
１５２    地磁気センサ
１５３    加速度センサ
１５４    ヒンジセンサ
１５５    近接センサ
１６０    入／出力部
１６１、１６１’    ボタン部
１６２    マイク
１６３    スピーカ
１６４    振動モータ
１７０    保存部
１８０    電源部
１８５    ヒンジ部
１９０−１    第１領域
１９０−２    第２領域
１９０ａ    第１ディスプレイ部
１９０ｂ    第２ディスプレイ部
１９０ｃ−１〜７    選択ウィンドウ
１９０ｄ    機能目録
１９０ｄ−１〜６    選択項目
１９２−１〜３    第１〜第３オブジェクト
１９５−１〜８    ボタン
２３１    タイミングコントローラ
２３２    ゲートドライバ
２３３    データドライバ
２３４    電圧駆動部
２３５、２９０    表示パネル
２３６    画素領域
２９１    赤外線ソース部
２９２    赤外線センシング部
３００    上部偏光板
３０１    下部偏光板
３１０    下部電極
３３０    下部透明電極
３４０    タッチパッド部
３４１    ベースフィルム
３４２    上部透明電極
３４３    上部電極
３５０    突起部
３６０    表示パネル部
３６１    下部基板
３６２    上部基板
３６３    液晶層
３６４    密封部材
４１０    ハードウェア
４２０    ＯＳ
４３０    フレームワーク
４４１    通話アプリケーション
４４２    マルチメディアアプリケーション
４４３    カメラアプリケーション
４４４    ブラウザ
４４５    ジェスチャ認識アプリケーション
１０００ａ    ソース１
１０００ｂ    ソース２
１９０１〜１９１８    アイコン
５９０１    通信表示ウィンドウ
５９０２    状態情報
５９０３    検索ボタン
５９０４、５９０５    指示子
５９０６    ウェブブラウジング画面
【図１】
2014078236.tif 000006
【図２】
2014078236.tif 000007
【図３】
2014078236.tif 000008
【図４】
2014078236.tif 000009
【図５】
2014078236.tif 000010
【図６】
2014078236.tif 000011
【図７】
2014078236.tif 000012
【図８】
2014078236.tif 000013
【図９】
2014078236.tif 000014
【図１０】
2014078236.tif 000015
【図１１】
2014078236.tif 000016
【図１２】
2014078236.tif 000017
【図１３】
2014078236.tif 000018
【図１４】
2014078236.tif 000019
【図１５】
2014078236.tif 000020
【図１６】
2014078236.tif 000021
【図１７】
2014078236.tif 000022
【図１８】
2014078236.tif 000023
【図１９】
2014078236.tif 000024
【図２０】
2014078236.tif 000025
【図２１】
2014078236.tif 000026
【図２２】
2014078236.tif 000027
【図２３】
2014078236.tif 000028
【図２４】
2014078236.tif 000029
【図２５】
2014078236.tif 000030
【図２６】
2014078236.tif 000031
【図２７】
2014078236.tif 000032
【図２８】
2014078236.tif 000033
【図２９】
2014078236.tif 000034
【図３０】
2014078236.tif 000035
【図３１】
2014078236.tif 000036
【図３２】
2014078236.tif 000037
【図３３】
2014078236.tif 000038
【図３４】
2014078236.tif 000039
【図３５】
2014078236.tif 000040
【図３６】
2014078236.tif 000041
【図３７】
2014078236.tif 000042
【図３８】
2014078236.tif 000043
【図３９】
2014078236.tif 000044
【図４０】
2014078236.tif 000045
【図４１】
2014078236.tif 000046
【図４２】
2014078236.tif 000047
【図４３】
2014078236.tif 000048
【図４４】
2014078236.tif 000049
【図４５】
2014078236.tif 000050
【図４６】
2014078236.tif 000051
【図４７】
2014078236.tif 000052
【図４８】
2014078236.tif 000053
【図４９】
2014078236.tif 000054
【図５０】
2014078236.tif 000055
【図５１】
2014078236.tif 000056
【図５２】
2014078236.tif 000057
【図５３】
2014078236.tif 000058
【図５４】
2014078236.tif 000059
【図５５】
2014078236.tif 000060
【図５６】
2014078236.tif 000061
【図５７】
2014078236.tif 000062
【図５８】
2014078236.tif 000063
【図５９】
2014078236.tif 000064
【図６０】
2014078236.tif 000065
【図６１】
2014078236.tif 000066
【図６２】
2014078236.tif 000067
【図６３】
2014078236.tif 000068
【図６４】
2014078236.tif 000069
【図６５】
2014078236.tif 000070
【図６６】
2014078236.tif 000071
【図６７】
2014078236.tif 000072
【図６８】
2014078236.tif 000073
【図６９】
2014078236.tif 000074
【図７０】
2014078236.tif 000075
【図７１】
2014078236.tif 000076